(57)【要約】【課題】本発明は、読み取った原稿画像を使用者の指定通りの形式に容易に処理できる画像データ処理装置を提供する。【解決手段】本発明の画像データ処理装置（１００）は、原稿画像を読み取り、所定のデータ形式の第１の画像データを作成する原稿読取手段（６）と、当該第１の画像データを所定のフォーマット形式のファイルに変換するファイル変換手段と、少なくともファイル変換手段により変換された第１の画像データを、メモリ（４ａ、１８）内に予め記憶されている前記所定のフォーマット形式のファイルの末尾に対して、次頁として連続的に追加して記憶する記憶手段と、を備えている。【選択図】　　　図１
2004048349.tif 000002
【特許請求の範囲】
【請求項１】
原稿画像を読み取り、所定のデータ形式の第１の画像データを作成する原稿読取手段と、
当該第１の画像データを所定のフォーマット形式のファイルに変換可能なファイル変換手段と、
少なくとも前記ファイル変換手段により変換された前記ファイルを記憶可能なメモリと、
前記原稿読取手段により新たに作成された第１の画像データを、前記メモリ内に予め記憶されている前記所定のフォーマット形式のファイルの末尾に対して、次頁として連続的に追加して記憶する記憶手段と、
を備えていることを特徴とする画像データ処理装置。
【請求項２】
前記メモリは、所定のデータ形式の画像データも記憶可能であることを特徴とする請求項１に記載の画像データ処理装置。
【請求項３】
前記メモリ内に予め所定のデータ形式の画像データのみが存在している場合は、前記ファイル変換手段は、当該画像データを前記所定のフォーマット形式のファイルに変換し、前記記憶手段は、当該ファイルの末尾に対して前記新たに作成された第１の画像データを次頁として連続的に追加して記憶することを特徴とする請求項２に記載の画像データ処理装置。
【請求項４】
前記メモリ内に予め所定のデータ形式の画像データも所定のフォーマット形式のファイルも存在しない場合は、前記新たに作成された第１の画像データのみが前記記憶手段により前記メモリに記憶されることを特徴とする請求項１、又は請求項２に記載の画像データ処理装置。
【請求項５】
更に、前記メモリに予め複数記憶されている前記ファイルのうち特定のファイルを指定するためのファイル指定手段を備え、
当該ファイル指定手段により特定のファイルが指定された場合には、前記記憶手段は、前記指定された特定のファイルの末尾に対して前記新たに作成された第１の画像データを次頁として連続的に追加して記憶することを特徴とする請求項１、又は請求項２に記載の画像データ処理装置。
【請求項６】
前記ファイル指定手段により特定のファイルが指定されなかった場合には、前記新たに作成された第１の画像データのみが前記記憶手段により前記メモリに記憶されることを特徴とする請求項５に記載の画像データ処理装置。
【請求項７】
更に、前記メモリに予め複数記憶されている前記画像データのうち特定の画像データを指定するための画像データ指定手段を備え、
前記画像データ指定手段により特定の画像データが指定された場合には、前記ファイル変換手段は、前記指定された特定の画像データを前記所定のフォーマット形式のファイルに変換し、前記記憶手段は、当該ファイルの末尾に対して前記新たに作成された第１の画像データを次頁として連続的に追加して記憶することを特徴とする請求項２に記載の画像データ処理装置。
【請求項８】
前記画像データ指定手段により特定の画像データが指定されなかった場合には、前記新たに作成された第１の画像データのみが前記記憶手段により前記メモリに記憶されることを特徴とする請求項７に記載の画像データ処理装置。
【請求項９】
前記記憶手段は、前記新たに作成された第１の画像データをそのまま前記メモリに記憶することを特徴とする請求項４、請求項６、請求項８のいずれか１項に記載の画像データ処理装置。
【請求項１０】
前記ファイル変換手段が前記新たに作成された第１の画像データを所定のフォーマット形式のファイルに変換した後、前記記憶手段は当該ファイルを前記メモリに記憶することを特徴とする請求項４、請求項６、請求項８のいずれか１項に記載の画像データ処理装置。
【請求項１１】
前記原稿読取手段は１頁の１／Ｎの面積の所定のデータ形式の画像データを作成可能であり、この１頁の１／Ｎの面積の画像データを複数併合してＮｉｎ１形式の第２の画像データを形成するＮｉｎ１画像データ形成手段を更に備えていることを特徴とする請求項４、請求項６、請求項８のいずれか１項に記載の画像データ処理装置。
【請求項１２】
更に、前記Ｎｉｎ１画像データ形成手段に第２の画像データを形成させるか否かを使用者が指示入力するＮｉｎ１指示入力手段と、
前記原稿読取手段が新たに読み取る前記原稿の枚数を計数する計数手段と、を備え、使用者が前記Ｎｉｎ１画像データ形成手段に第２の画像データを形成させることを前記Ｎｉｎ１指示入力手段に指示入力することで前記原稿読取手段が１頁の１／Ｎの面積の所定のデータ形式の画像データを作成し、且つ前記計数手段が計数した前記原稿の枚数がＮ枚より大きい場合には、前記ファイル変換手段は、前記Ｎｉｎ１画像データ形成手段が形成した第２の画像データを所定のフォーマット形式のファイルに変換するとともに、前記記憶手段はこの変換されたファイルを前記メモリに記憶することを特徴とする請求項１１に記載の画像データ処理装置。
【請求項１３】
前記原稿読取手段は１頁の１／Ｎの面積の所定のデータ形式の画像データを作成可能であり、この１頁の１／Ｎの面積の画像データを複数併合してＮｉｎ１形式の第２の画像データを形成するＮｉｎ１画像データ形成手段を更に備えていることを特徴とする請求項１に記載の画像データ処理装置。
【請求項１４】
更に、前記Ｎｉｎ１画像データ形成手段に第２の画像データを形成させるか否かを使用者が指示入力するＮｉｎ１指示入力手段を備え、
使用者が前記Ｎｉｎ１画像データ形成手段に第２の画像データを形成させることを前記Ｎｉｎ１指示入力手段に指示入力している場合には、前記原稿読取手段は１頁の１／Ｎの面積の所定のデータ形式の画像データを作成するとともに、前記記憶手段は前記Ｎｉｎ１画像データ形成手段により形成された第２の画像データを前記メモリ内に予め記憶されている前記所定のフォーマット形式のファイルの末尾に対して、次頁として連続的に追加して記憶することを特徴とする請求項１３に記載の画像データ処理装置。
【請求項１５】
前記Ｎｉｎ１画像データ形成手段に対し、正数Ｎを指示するためのＮ指示手段を備えていることを特徴とする請求項１１又は請求項１３に記載の画像データ処理装置。
【請求項１６】
更に、前記メモリに予め記憶されている画像データ又はファイルのうち特定の画像データ又はファイルを指定するための指定手段と、
当該指定手段により指定されたのが画像データであるかファイルであるかを判断するための判断手段と、を備え、
当該判断手段が、前記指定手段により指定されたのがファイルであると判断した場合には、前記記憶手段は、前記新たに作成された第１の画像データを当該指定されたファイルの末尾に対して、次頁として連続的に追加して記憶することを特徴とする請求項２に記載の画像データ処理装置。
【請求項１７】
前記判断手段が、前記指定手段により指定されたのが画像データであると判断した場合には、前記ファイル変換手段は指定された画像データを所定のフォーマット形式のファイルに変換した後、前記記憶手段が、前記新たに作成された第１の画像データを当該変換されたファイルの末尾に対して、次頁として連続的に追加して記憶することを特徴とする請求項１６に記載の画像データ処理装置。
【請求項１８】
更に、前記原稿読取手段が作成した前記第１の画像データの名称を入力指定するための画像データ名称入力指定手段と、
前記メモリ内に既に存在するファイルの名称を検知する検知手段と、
当該検知手段の検知結果に基づき、前記画像データ名称入力指定手段によって入力指定された名称と同一の名称のファイルが存在する場合には、前記記憶手段は前記第１の画像データを前記ファイルの末尾に対して、次頁として連続的に追加して記憶することを特徴とする請求項１に記載の画像データ処理装置。
【請求項１９】
前記メモリ内に、前記画像データ名称入力指定手段によって入力指定された名称と同一の名称を持つファイルが存在しない場合には、前記記憶手段は、前記第１の画像データのみを前記画像データ名称指定手段によって指定された名称にて前記メモリに記憶することを特徴とする請求項１８に記載の画像データ処理装置。
【請求項２０】
前記所定のデータ形式を選択する選択手段を備えることを特徴とする請求項１に記載の画像データ処理装置。
【請求項２１】
新たな画像データの名称を入力して特定のファイル又は画像データを指定するための画像データ名称入力指定手段と、
前記画像データ名称入力指定手段により入力された新たな画像データの名称と同一名称のファイル又は画像データを検知するための検知手段と、を備え、
前記画像データ名称入力指定手段により入力された新たな画像データの名称と同一名称のファイル又は画像データが前記メモリ内に存在した場合は、前記新たな画像データを前記検知手段により検知されたファイル又は画像データに追加して記憶することを特徴とする請求項２に記載の画像データ処理装置。
【請求項２２】
使用者に報知するための報知手段と、
画像データの追加先を選択させるための追加先選択手段と、を備え、
前記画像データ名称入力指定手段により入力された新たな画像データの名称と同一名称のファイル又は画像データが前記メモリ内に複数存在した場合は、前記報知手段により前記使用者に報知し、前記追加先選択手段に追加先を選択させ、前記選択された追加先に前記新たな画像データを追加して記憶することを特徴とする請求項２１に記載の画像データ処理装置。
【請求項２３】
前記画像データ名称入力指定手段により入力された新たな画像データの名称と同一名称のファイル又は画像データが前記メモリ内に存在しない場合は、前記新たな画像データを前記画像データ名称入力指定手段により入力された新たな画像データの名称で前記メモリ内に記憶することを特徴とする請求項２１に記載の画像データ処理装置。
【請求項２４】
前記画像データ又は前記ファイルを記憶するための外部メモリを着脱可能に装着するための外部メモリ装着手段を備え、前記メモリは前記外部メモリ装着手段に装着される前記外部メモリであることを特徴とする請求項１〜２０のいずれかに記載の画像データ処理装置。
【発明の詳細な説明】
【０００１】
【発明の属する技術分野】
本発明は、読み取った原稿を所定の形式で記憶するための原稿データの記憶処理に関する。
【０００２】
【従来の技術】
従来から、デジタルカメラ等で撮影されたり、パーソナルコンピュータ（以下、ＰＣと称す）等で作成された画像データを記憶した、コンパクトフラッシュ（Ｒ）、スマートメディア（Ｒ）といった記憶媒体（以下、外部メモリと称す）を装着可能なスロットを有するプリンタが知られている。このようなプリンタにおいては、そのスロットに装着された外部メモリから画像データを読み出し、更にその読み出した画像データを印刷可能に構成されている。さらに、そのようなプリンタと原稿読取を可能とする原稿読取装置とを組み合わせた多機能プリンタと呼ばれるものもある。このような多機能プリンタの中には、ＰＣと接続されることにより、ＰＣのプリンタとして使用されたり、ＰＣのスキャナとしても使用されるものがある。更に、多機能プリンタの外部メモリがＰＣの仮想ドライブとして使用される機能も備えられているものがある。
【０００３】
しかしながら、このような多機能プリンタは、原稿読取装置を備えているにもかかわらず、この原稿読取装置が読み取った原稿に対応する画像データを外部メモリに直接保存する機能を備えていなかった。そのため、外部メモリにそのような画像データを保存しようとすると、次のような煩雑な手順を踏まなければならなかった。即ち、まずＰＣのスキャナとして多機能プリンタを使用し、その原稿読取装置に原稿を読み取らせることで、原稿に対応する画像データをＰＣ内部の記憶媒体（例えば、ハードディスク）に取り込む。その後、ＰＣが外部メモリを自らの仮想ドライブとして使用することにより、取り込んだ画像データを多機能プリンタの外部メモリに転送するというものである。
【０００４】
【発明が解決しようとする課題】
そこで、このような多機能プリンタにおいて、原稿読取装置が読み取った原稿に対応する画像データを外部メモリに直接保存する機能を搭載したと想定すると、次のような問題点が生じるおそれがある。即ち、原稿読取装置が読み取った原稿に対応する画像データは頁ごとに新しいファイルとして作成されることが予想されるため、原稿が複数頁に渡る場合に、ファイルの指定等の操作が煩雑となるだけでなく、原稿全ての確認が非常に不便となる。従って、ファイル管理が煩雑となり、画像データを管理しにくいという課題がある。
【０００５】
そこで本発明は、原稿読取装置が読み取った原稿に対応する画像データを外部メモリに直接保存する機能を搭載すると共に、原稿が複数頁に渡った場合でも、ファイル管理の容易な画像データ処理装置を提供する。
【０００６】
【課題を解決するための手段】
上記課題を解決するために、本発明は以下の構成からなる。なお、本発明の理解を容易にするために添付図面の参照符号を括弧書きにて付記するが、それにより本発明が図示の形態に限定されるものではない。
【０００７】
本発明の画像データ処理装置（１００）は、原稿画像を読み取り、所定のデータ形式の第１の画像データを作成する原稿読取手段（２、３、４、５、６）と、当該第１の画像データを所定のフォーマット形式のファイルに変換するファイル変換手段（２、３、４、５）と、少なくとも前記ファイル変換手段により変換された前記ファイルを記憶可能なメモリ（４ａ、１８〜２０）と、前記原稿読取手段により新たに作成された第１の画像データを、前記メモリ内に予め記憶されている前記所定のフォーマット形式のファイルの末尾に対して、次頁として連続的に追加して記憶する記憶手段（２、３、４、５、１０、１１〜１３）と、を備えていることを特徴とする。
【０００８】
この画像データ処理装置によれば、予めメモリ内に記憶されている所定のフォーマット形式のファイルに、新たな第１の画像データを次頁として連続的に追加し、１つのファイルとして記憶することができる。
【０００９】
また、前記メモリは、前記所定のデータ形式の画像データも記憶可能であることが望ましい。
【００１０】
このように構成すれば、前記メモリには所定のフォーマット形式のファイルのみならず、所定のデータ形式の画像データも記憶することができるので、メモリを有効に活用することができる。
【００１１】
また、前記メモリ内に予め所定のデータ形式の画像データのみが存在している場合は、前記ファイル変換手段は、当該画像データを前記所定のフォーマット形式のファイルに変換し、前記記憶手段は、当該ファイルの末尾に対して前記新たに作成された第１の画像データを次頁として連続的に追加して記憶することが望ましい。
【００１２】
このように構成すれば、外部メモリ内に予め所定のデータ形式の画像データのみ存在している場合、その画像データをファイル変換手段により所定のフォーマット形式のファイルに変換後、その変換したファイルの末尾に新たな第１の画像データを次頁として連続的に追加し、１つのファイルとして記憶することができる。
【００１３】
また、前記メモリ内に予め所定のデータ形式の画像データも所定のフォーマット形式のファイルも存在しない場合は、前記新たに作成された第１の画像データのみが前記記憶手段により前記メモリに記憶されることが望ましい。
【００１４】
このように構成すれば、外部メモリ内に画像データやファイルが記憶されていなければ、新たな第１の画像データを所定のデータ形式の画像データとして又は所定のフォーマット形式のファイルとして外部メモリに記憶することができる。
【００１５】
また、更に、前記メモリに予め複数記憶されている前記ファイルのうち特定のファイルを指定するためのファイル指定手段（２、３、４、５、７、８、９）を備え、当該ファイル指定手段により特定のファイルが指定された場合には、前記記憶手段は、前記指定された特定のファイルの末尾に対して前記新たに作成された第１の画像データを次頁として連続的に追加して記憶することが望ましい。
【００１６】
このように構成すれば、メモリ内に予め複数のファイルが記憶されていたとしても、ファイル指定手段により使用者がそのファイルから特定のファイルを指定して、その指定したファイルの末尾にのみ新たな第１の画像データを次頁として連続的に追加することで、まとまった１つのファイルとして記憶することができる。
【００１７】
また、前記ファイル指定手段により特定のファイルが指定されなかった場合には、前記新たに作成された第１の画像データが所定のデータ形式の画像データとして又は所定のフォーマット形式のファイルとして記憶手段によりメモリに記憶されることができる。
【００１８】
このように構成すれば、外部メモリ内に予め複数の所定のフォーマット形式のファイルが記憶されている場合であっても、使用者によりファイルが指定されなかった場合は、新たな画像データのみを所定の形式でメモリに記憶することができる。
【００１９】
また、更に、前記メモリに予め複数記憶されている前記画像データのうち特定の画像データを指定するための画像データ指定手段（２、３、４、５、７、８、９）を備え、前記画像データ指定手段により特定の画像データが指定された場合には、前記ファイル変換手段は、前記指定された特定の画像データを前記所定のフォーマット形式のファイルに変換し、前記記憶手段は、当該ファイルの末尾に対して前記新たに作成された第１の画像データを次頁として連続的に追加して記憶することが望ましい。
【００２０】
このように構成すれば、メモリ内に予め複数の画像データが記憶されていたとしても、使用者が指定した特定の画像データを所定のフォーマット形式のファイルに変換し、そのファイルの末尾に新たな画像データを次頁として連続的に追加して、まとまった１つのファイルとして記憶することができる。
【００２１】
また、前記画像データ指定手段により特定の画像データが指定されなかった場合には、前記新たに作成された第１の画像データのみが前記記憶手段により前記メモリに記憶されることが望ましい。
【００２２】
このように構成すれば、メモリ内に予め複数の画像データが記憶されているとしても、使用者により画像データが指定されなかった場合は、新たな第１の画像データのみを所定の形式でメモリに記憶することができる。
【００２３】
また、前記記憶手段は、前記新たに作成された第１の画像データをそのまま前記メモリに記憶することが望ましい。
【００２４】
このように構成すれば、例えば、メモリ内に予め何も記憶されていない場合は、新たに画像データのみを記憶することができる。
【００２５】
また、前記ファイル変換手段が前記新たに作成された第１の画像データを所定のフォーマット形式のファイルに変換した後、前記記憶手段は当該ファイルを前記メモリに記憶することが望ましい。
【００２６】
また、前記原稿読取手段が１頁の１／Ｎの面積の所定のデータ形式の画像データを作成可能であり、この１頁の１／Ｎの面積の画像データを複数併合してＮｉｎ１形式の第２の画像データを形成するＮｉｎ１画像データ形成手段（２、３、４、５）を更に備えていてもよい。
【００２７】
このように構成すれば、新たな画像データのみをメモリに記憶する際に、新たな画像データとしてＮｉｎ１画像データを作成することができ、複数の画像データを１つの画像データに或いは複数の画像データを１つのファイルにまとめることができ、画像データを管理し易い。
【００２８】
また、更に、前記Ｎｉｎ１画像データ形成手段に第２の画像データを形成させるか否かを使用者が指示入力するＮｉｎ１指示入力手段（２、３、４、５、７、８、９）と、前記原稿読取手段が新たに読み取る前記原稿の枚数を計数する計数手段（２、３、４、５）と、を備え、使用者が前記Ｎｉｎ１画像データ形成手段に第２の画像データを形成させることを前記Ｎｉｎ１指示入力手段に指示入力することで前記原稿読取手段が１頁の１／Ｎの面積の所定のデータ形式の画像データを作成し、且つ前記計数手段が計数した前記原稿の枚数がＮ枚より大きい場合には、前記ファイル変換手段は、前記Ｎｉｎ１画像データ形成手段が形成した第２の画像データを所定のフォーマット形式のファイルに変換するとともに、前記記憶手段はこの第２の画像データを前記メモリに記憶することが望ましい。
【００２９】
このように構成すれば、複数の読取原稿がある場合、使用者が所定のＮｉｎ１画像データを形成するか否かを指示できる。具体的には、新たに読取原稿の枚数を計数し、その枚数が単数であれば、画像データのままメモリに新たな画像データを記憶する。一方、読み取り原稿の枚数が複数であれば、新たな画像データを所定のＮｉｎ１形式の縮小画像データに縮小した上で、原稿読取手段により読み取られた複数の画像データを併合して所定のＮｉｎ１形式の画像データに変換できるとともに、原稿枚数がＮより多い場合には、１つのファイルとしてメモリに記憶できる。
【００３０】
また、前記原稿読取手段が１頁の１／Ｎの面積の所定のデータ形式の画像データを作成可能であり、この１頁の１／Ｎの面積の画像データを複数併合してＮｉｎ１形式の第２の画像データを形成するＮｉｎ１画像データ形成手段（２、３、４、５）を備えていることが望ましい。
【００３１】
このように構成すれば、新たな画像データとしてＮｉｎ１画像データを作成することができ、このＮｉｎ１画像データを１つのファイルにまとめてメモリに記憶することができ、画像データを管理し易い。
【００３２】
また、更に、前記Ｎｉｎ１画像データ形成手段に第２の画像データを形成させるか否かを使用者が指示入力するＮｉｎ１指示入力手段（２、３、４、５、７、８、９）を備え、使用者が前記Ｎｉｎ１画像データ形成手段に第２の画像データを形成させることを前記Ｎｉｎ１指示入力手段に指示入力している場合には、前記原稿読取手段は１頁の１／Ｎの面積の所定のデータ形式の画像データを作成し、前記記憶手段は前記Ｎｉｎ１画像データ形成手段により形成された第２の画像データを前記メモリ内に予め記憶されている前記所定のフォーマット形式のファイルの末尾に対して、次頁として連続的に追加して記憶することが望ましい。
【００３３】
このように構成すれば、メモリ内に予め記憶されているＮｉｎ１形式のファイルの末尾に対して新たな画像データを次頁として連続的に追加して、１つのファイルとしてメモリに記憶できる。
【００３４】
また、前記Ｎｉｎ１画像データ形成手段に対し、正数Ｎを指示するためのＮ指示手段（２、３、４、５、７、８、９）を備えることが望ましい。
【００３５】
このように構成すれば、１頁に併合する画像データの枚数を使用者の希望により設定できる。
【００３６】
また、前記メモリに予め記憶されている画像データ又はファイルのうち１つの画像データ又はファイルを指定するための指定手段（２、３、４、５、７、８、９）と、当該指定手段により指定されたのが画像データであるかファイルであるかを判断するための判断手段（２、３、４、５）と、を備え、当該判断手段が、前記指定手段により指定されたのがファイルであると判断した場合には、前記記憶手段は、前記新たに作成された第１の画像データを当該指定されたファイルの末尾に対して、次頁として連続的に追加して記憶することが望ましい。
【００３７】
このように構成すれば、メモリ内に予め画像データ又はファイルが複数記憶されていても、指定手段により特定のファイルを指定できるので、その指定したファイルに対して新たな画像データを１つのファイルとして記憶できる。
【００３８】
また、前記判断手段が、前記指定手段により指定されたのが画像データであると判断した場合には、前記ファイル変換手段は指定された画像データを所定のフォーマット形式のファイルに変換した後、前記記憶手段が、前記新たに作成された第１の画像データを当該変換されたファイルの末尾に対して、次頁として連続的に追加して記憶することが望ましい。
【００３９】
このように構成すれば、前記指定手段により指定されたのが画像データであったとしても、ファイル変換手段によりその画像データを所定のフォーマット形式のファイルに変換後、その変換されたファイルの末尾に対して新たな画像データを次頁として連続的に追加することで、まとまった１つのファイルとして記憶できる。
【００４０】
また、更に、前記原稿読取手段が作成する前記第１の画像データの名称を入力指定するための画像データ名称入力指定手段（２、３、４、５、７、８、９）と、前記メモリ内に既に存在するファイルの名称を検知する検知手段（２、３、４、５）と、当該検知手段の検知結果に基づき、前記画像データ名称入力指定手段によって入力指定された名称と同一の名称のファイルが存在する場合には、前記記憶手段は前記第１の画像データを前記ファイルの末尾に対して、次頁として連続的に追加して記憶することが望ましい。
【００４１】
このように構成すれば、メモリ内に予め複数のファイルが記憶されていても、画像データ名称入力指定手段により画像データの名称を入力することによって、同一名称のファイルを抽出し、そのファイルの末尾に対して、次頁として連続的に画像データを追加することで、まとまった１つのファイルとして記憶できる。
【００４２】
また、前記メモリ内に、前記画像データ名称入力指定手段によって入力指定された名称と同一名称のファイルが存在しない場合には、前記記憶手段は、前記第１の画像データのみを前記画像データ名称指定手段によって指定された名称にて前記メモリに記憶することが望ましい。
【００４３】
このように構成すれば、画像データ名称入力手段によって入力指定された名称と同一名称を持つファイルが存在しない場合でも、入力指定された名称でその画像データをメモリに記憶することができる。
【００４４】
また、前記所定のデータ形式を選択する選択手段（２、３、４、５、７、８、９）を備えることが望ましい。
【００４５】
このように構成すれば、使用者の希望に応じて、画像データを記憶する際のデータ形式を指定できる。
【００４６】
また、新たな画像データの名称を入力して特定のファイル又は画像データを指定するための画像データ名称入力指定手段（２、３、４、５、７、８、９）と、前記画像データ名称入力指定手段により入力された新たな画像データの名称と同一名称のファイル又は画像データを検知するための検知手段（２、３、４、５）と、を備え、前記画像データ名称入力指定手段により入力された新たな画像データの名称と同一名称のファイル又は画像データが前記メモリ内に存在した場合は、前記新たな画像データを前記検知手段により検知されたファイル又は画像データに追加して記憶することが望ましい。
【００４７】
このように構成すれば、使用者により入力された新たな画像データの名称と同一名称のファイル及び／又は画像データがメモリ内に存在した場合に、同一名称のファイル及び／又は画像データの末尾に新たな画像データを追加して、１つのファイルとしてメモリに記憶できる。
【００４８】
また、使用者に報知するための報知手段（２、３、４、５、７、８、９）と、画像データの追加先を選択させるための追加先選択手段（２、３、４、５、７、８、９）と、を備え、前記画像データ名称入力指定手段により入力された新たな画像データの名称と同一名称のファイル又は画像データが前記メモリ内に複数存在した場合は、前記報知手段により前記使用者に報知し、前記追加先選択手段に追加先を選択させ、前記選択された追加先に前記新たな画像データを追加して記憶することが望ましい。
【００４９】
このように構成すれば、使用者により入力された新たな画像データの名称と同一名称のファイル及び／又は画像データがメモリ内に存在した場合に、使用者に追加先を選択させることができる。また、使用者によって選択されたファイル及び／又は画像データの末尾に新たな画像データを追加して、１つのファイルとしてメモリに記憶できる。
【００５０】
また、前記画像データ名称入力指定手段により入力された新たな画像データの名称と同一名称のファイル又は画像データが前記メモリ内に存在しない場合は、前記新たな画像データを前記画像データ名称入力指定手段により入力された新たな画像データの名称で前記メモリ内に記憶することが望ましい。
【００５１】
このように構成すれば、使用者により入力された新たな画像データの名称と同一名称のファイル及び／又は画像データが外部メモリ内に存在しなかった場合は、新たな画像データを入力された名称でメモリに記憶することができる。
【００５２】
また、前記画像データ又は前記ファイルを記憶するための外部メモリを着脱可能に装着するための外部メモリ装着手段（１１、１２、１３）を備え、前記メモリは前記外部メモリ装着手段に装着される前記外部メモリ（１８、１９、２０）であることが望ましい。
【００５３】
このように構成すれば、原稿が原稿読取部により読み取られて作成された画像データを着脱可能な外部メモリに記憶できる。
【００５４】
【発明の実施の形態】
以下、本発明である画像データ処理装置に係る複数の実施の形態について詳細に説明する。
【００５５】
図１は画像データ処理装置１００の概略構成を示し、図１（ａ）はブロック図、図１（ｂ）はキーボードの構成を示す図である。最初にこの画像データ処理装置１００の全体の概略構成について説明する。また、本実施形態の画像データ処理装置１００は、操作部たるキーボード９から使用者が入力指定した指示にしたがって、原稿読取部６が読み取った画像データを直接外部記憶媒体に記憶できる。また、この場合に、所定のフォーマット形式のファイルの末尾に連続的に新たな画像データを追加することもできる。本実施の形態において、画像データとは、原稿読取部６が読み取った原稿の画像に対応するデータをいい、具体的には、ＪＰＥＧ（Ｊｏｉｎｔ　Ｐｈｏｔｏｇｒａｐｈｉｃ　Ｅｘｐｅｒｔｓ　Ｇｒｏｕｐ）、ＧＩＦ（Ｇｒａｐｈｉｃ　Ｉｎｔｅｒｃｈａｎｇｅ　Ｆｏｒｍａｔ）、ＴＩＦＦ（Ｔａｇｇｅｄ　Ｉｍａｇｅ　Ｆｉｌｅ　Ｆｏｒｍａｔ）、ＰＮＧ（Ｐｏｒｔａｂｌｅ　Ｎｅｔｗｏｒｋ　Ｇｒａｐｈｉｃｓ）、ＢＭＰ（ＢＩＴ　ＭＡＰ）等の各形式の画像データをいう。また、本実施の形態において、所定のフォーマット形式のファイルとは、複数頁分の符号化データを１つのまとまりとして扱うことのできるデータファイルをいい、具体的には、ＰＤＦ（ＰｏｒｔａｂｌｅＤｏｃｕｍｅｎｔ　Ｆｏｒｍａｔ）ファイルをいう。ＰＤＦファイルは、Ａｄｏｂｅ社の提唱するフォーマット形式である。但し、複数頁分の符号化データを１つのまとまりとして扱うことができ、新たな画像データをその末尾に続ページとして追加できるファイルであれば、ＰＤＦ形式以外のファイルであってもよい。
【００５６】
図１（ａ）に示すように画像データ処理装置は、バス１を介して、制御部としてのＣＰＵ（Ｃｅｎｔｒａｌ　Ｐｒｏｃｅｓｓｉｎｇ　Ｕｎｉｔ）２と、制御プログラムやデータ等を記憶するためのＲＯＭ（Ｒｅａｄ　Ｏｎｌｙ　Ｍｅｍｏｒｙ）３やＲＡＭ（Ｒａｎｄｏｍ　Ａｃｃｅｓｓ　Ｍｅｍｏｒｙ）４と、ＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）５と、ＭＯＤＥＭ１６と、が電気的に接続されている。また、ＲＡＭ４は内部メモリ４ａとして機能する記憶部と、使用者によって設定されるＮｉｎ１フラグ記憶領域４ｂと、を有する。このＮｉｎ１フラグ記憶領域４ｂには、使用者によってＮｉｎ１フラグがオンに設定されている時には「１」が、オフに設定されている時には「０」が記憶される。また、ＡＳＩＣ５には、原稿を画像データとして読み取るための原稿読取部６と、パネルインターフェース７と、着脱可能メモリインターフェース１０と、パラレルインターフェース１４と、ＵＳＢ（Ｕｎｉｖｅｒｓａｌ　Ｓｅｒｉａｌ　Ｂｕｓ）インターフェース１５と、が電気的に接続されている。本実施形態の原稿読取部６は自動原稿給送機構（ＡＤＦ：Ａｕｔｏ　Ｄｏｃｕｍｅｎｔ　Ｆｅｅｄｅｒ）を備えているので、複数頁の原稿が一枚ずつ原稿の読取箇所に自動的に給送される。但し、使用者が一枚ずつ原稿を読取箇所のガラス面上に載置してマニュアル操作で読み取らせるように構成してもよい。また、パネルインターフェース７には、必要な情報を使用者に表示するためのＬＣＤ（Ｌｉｑｕｉｄ　Ｃｒｙｓｔａｌ　Ｄｉｓｐｌａｙ）８と、使用者の操作を受け入れるキーボード９と、が接続されている。また、着脱可能メモリインターフェース１０には、第１スロット１１と、第２スロット１２と、第３スロット１３と、が接続されている。この第１〜第３スロット１１〜１３には、各スロットに対応するように第１〜第３の外部メモリ１８〜２０として機能する外部記憶媒体を着脱可能に装着できる。なお、後述する第１〜第７の実施形態の説明においては、説明を容易にするために、１つの外部メモリ１８にのみ画像データを記憶させることとして説明を行う。
【００５７】
外部記憶媒体は、具体的には、コンパクトフラッシュ（Ｒ）、スマートメディア（Ｒ）、メモリスティック（Ｒ）等である。なお、外部記憶媒体として採用される記憶メディアは、これらの記憶メディアに限定されるものではない。例えば、フロッピー（Ｒ）ディスク、ＭＯ（Ｍａｇｎｅｔｉｃ　Ｏｐｔｉｃａｌ　Ｄｉｓｋ）、ＣＤ−Ｒ（Ｃｏｍｐａｃｔ　Ｄｉｓｃ　Ｒｅｃｏｒｄａｂｌｅ）、ＣＤ−ＲＷ（Ｃｏｍｐａｃｔ　Ｄｉｓｃ　Ｒｅ−Ｗｒｉｔａｂｌｅ）、ＤＶＤ−Ｒ（Ｄｉｇｉｔａｌ　Ｖｅｒｓａｔｉｌｅ　Ｄｉｓｃ　Ｒｅｃｏｒｄａｂｌｅ）、ＤＶＤ−ＲＡＭ（Ｄｉｇｉｔａｌ　Ｖｅｒｓａｔｉｌｅ　Ｄｉｓｃ　ＲａｎｄｏｍＡｃｃｅｓｓ　Ｍｅｍｏｒｙ）、ＤＶＤ−ＲＷ（Ｄｉｇｉｔａｌ　Ｖｅｒｓａｔｉｌｅ　Ｄｉｓｃ　Ｒｅ−Ｗｒｉｔａｂｌｅ）等のその他の記憶メディアであってもよい。これらの記憶メディアを使用する場合には、スロット１１もその記憶メディアに対応するドライブ装置で構成されることは言うまでもない。
【００５８】
また、パラレルインターフェース１４／ＵＳＢインターフェース１５には必要時にパラレルケーブル／ＵＳＢケーブルにより他の電子機器と接続できる。また、ＡＳＩＣ５とＭＯＤＥＭ１６には、ＮＣＵ１７が電気的に接続されている。ＮＣＵ１７は公衆電話回線と接続される。
【００５９】
また、キーボード９には各種キーが備えられている。具体的には、図１（ｂ）に示すように、０〜９までの番号キーから構成される「テンキー」９ａと、Ｓｃａｎ　Ｔｏ　Ｐｃｃを実行するための「Ｓｃａｎ　Ｔｏ　Ｐｃｃ　キー」９ｂと、項目等を選択するための「矢印キー」９ｃと、項目等を特定するための「確定キー」９ｄと、ＦＡＸ送信を開始するための「送信開始キー」９ｅと、メモリに記憶されているファイル／画像データを消去するための「消去開始キー」９ｆと、複数の画像データを１ページ中にまとめる（Ｎｉｎ１処理）ための「Ｎｉｎ１キー」９ｇと、各処理を開始するための「スタートキー」９ｈと、を備えている。また、「テンキー」９ａの各番号キーには数字のみならず英文字が割り当てられており、使用者がこの「テンキー」９ａを操作することにより、画像データ処理装置１００には各種設定のための英数字を入力することができる。ここで、「Ｓｃａｎ　Ｔｏ　Ｐｃｃ」処理とは、原稿読取部６で読み取った原稿の画像データを外部メモリに記憶させる処理をいう。即ち、「Ｓｃａｎ　Ｔｏ　Ｐｃｃ　キー」９ｂを使用者が押下することにより、原稿読取部６で読み取った原稿に対応する画像データが所定の形式で外部メモリ１８に記憶されるのである。
【００６０】
次に図２〜図２４を参照して、使用者の指示にしたがって処理される画像データ処理装置の各実施形態における動作について説明する。各動作は全て「Ｓｃａｎ　Ｔｏ　Ｐｃｃ」処理に関するものである。また、図２〜図２４の処理は制御部の制御により実行されるものである。
【００６１】
―第１の実施形態―
以下、図２〜図１０を参照して、本発明に係る画像データ処理装置１００の第１の実施形態について説明する。図２は、第１の実施形態の実行メインプログラムを示すフローチャートである。図３は、図２のＳ３に示す外部メモリ装着判断処理の過程を示すフローチャートである。図４は、図２のＳ４に示すデータ形式選択処理の過程を示すフローチャートである。図５は、図４のＳ４１に示すデータ形式を選択するための画面である。図６は、Ｎｉｎ１形式の設定処理の処理過程を示すフローチャートである。図７（ａ）は、図６のＳ６１に示す正数Ｎを選択するための画面であり、図７（ｂ）は、図７（ａ）のＮ入力指定を選択した際に、表示される画面である。図８は第１の名称入力処理の処理過程を示すフローチャートである。図９は画像データの新規記憶処理の処理過程を示すフローチャートである。図１０は外部メモリ挿入処理の処理過程を示すフローチャートである。
【００６２】
図２において、まず使用者は原稿を原稿読取部６の所定位置に載置して（ステップ１：以下、Ｓ１と称す。他のステップも同様）、キーボード９の「ＳｃａｎＴｏ　Ｐｃｃ　キー」９ｂを押下する（Ｓ２）。この「Ｓｃａｎ　Ｔｏ　Ｐｃｃ　キー」９ｂの押下により、実行メインプログラムが実際に起動し、各処理が実行される。
【００６３】
次に、外部メモリ装着判断処理をするための実行サブプログラム（図３）が起動される（Ｓ３）。この外部メモリ装着判断処理では、外部メモリ１８が画像データ処理装置１００の第１スロット１１に装着されているか否かが判断されるとともに、原稿読取部６により読み取られた原稿に対応する画像データの記憶先が設定される。
【００６４】
まず、外部メモリ１８が第１スロット１１に装着されているか否かが判断される（Ｓ３１）。外部メモリ１８が第１スロット１１に装着されていれば（Ｓ３１：Ｙｅｓ）、この実行サブプログラムは即座に終了して次のステップ、即ち図２のＳ４に進む。しかし、外部メモリ１８が第１スロット１１に装着されていなければ（Ｓ３１：Ｎｏ）、外部メモリ１８が無装着である旨と、「Ｓｃａｎ　ＴｏＰｃｃ」処理を継続するか否かを使用者に問う表示がＬＣＤ８上に表示される（Ｓ３２）。例えば、『外部メモリがスロットに装着されていません。継続する場合には「１」キーを、中止する場合には「２」キーを押して下さい。』等のメッセージがＬＣＤ８上に表示される。次に、使用者の指示入力に従って「Ｓｃａｎ　Ｔｏ　Ｐｃｃ」処理が継続されるか否かが判断される（Ｓ３３）。即ち、使用者により「１」キーが入力された場合には（Ｓ３３：Ｙｅｓ）、原稿読取部６により読み取られた原稿に対応する画像データの記憶先がＲＡＭ４の内部メモリ４ａに仮設定され（Ｓ３４）、図２の実行メインプログラムに戻る。一方、使用者により「２」キーが入力された場合には（Ｓ３３：Ｎｏ）、図３の実行サブプログラムのみならず、図２に示す「Ｓｃａｎ　Ｔｏ　Ｐｃｃ」処理自体を終了する。
【００６５】
Ｓ３において新たな画像データの記憶先が設定されると、データ形式選択処理を実行するための実行サブプログラム（図４）が起動される（Ｓ４）。このデータ形式選択処理では、原稿読取部６により読み取った原稿に対応する画像データのデータ形式が設定される。
【００６６】
まず、図５に示すようなデータ形式の項目から構成されるデータ形式選択画面２４がＬＣＤ８上に表示される（Ｓ４１）。具体的には、例えば、「０：デフォルト、１．ＪＰＥＧ、２．ＧＩＦ、３．ＴＩＦＦ、４．ＰＮＧ、５．ＢＭＰ」というように、各データ形式の項目２５と、各項目２５に対応した項目番号２６と、各項目２５のうち１つの項目を示すカーソル２７とから構成される。また、デフォルト形式は、この画像処理装置の出荷時点で予め何らかのデータ形式に定められていてもよいし、又は使用者の指示に従って設定が変更できるように構成されていてもよい。使用者は、カーソル２７を矢印キー９ｃにより希望の項目２５に合わせるか、テンキー９ａのうちの数字キー（この場合は、「０」〜「５」の数字キー）により該当する項目２５の項目番号２６を入力する等してデータ形式を選択することができる。
【００６７】
次に、使用者が矢印キー９ｃか、又はテンキー９ａから「０」〜「５」のうちいずれかの数字キーを押下することにより、データ形式の選択がなされたか否かが判断される（Ｓ４２）。使用者が矢印キー９ｃ又は「０」〜「５」のうちいずれかの数字キーを押下した場合には（Ｓ４２：Ｙｅｓ）、Ｓ４３に進み、使用者が矢印キー９ｃ又は「０」〜「５」のうちいずれの数字キーをも押下していない場合には（Ｓ４２：Ｎｏ）、Ｓ４６に進む。また、使用者が「６」〜「９」のうちいずれかの数字キーを押下した場合には、Ｓ４２は否定判断がなされる。
【００６８】
使用者が矢印キー９ｃを押下した場合には（Ｓ４２：Ｙｅｓ）、図５のカーソル２７は、押下された矢印キー９ｃの上下方向に応じて上又は下の次の項目２５へと移動する。使用者が「０」〜「５」のうちいずれかの数字キーを押下した場合には（Ｓ４２：Ｙｅｓ）、押下された数字キーに対応する項目２５へとカーソル２７が移動する。次に、使用者により確定キー９ｄが押下されたか否かが判断される（Ｓ４３）。使用者が確定キー９ｄを押下した場合には（Ｓ４３：Ｙｅｓ）、外部メモリ１８又は内部メモリ４ａに記憶される新たな画像データのデータ形式がＳ４２で選択されたデータ形式に設定され、図２の実行メインプログラムに戻る。一方、使用者が確定キー９ｄを押下していない場合には（Ｓ４３：Ｎｏ）、Ｓ４２に戻る。
【００６９】
また、使用者が矢印キー９ｃ又は「０」〜「５」のうちいずれの数字キーをも押下していない場合（使用者が「６」〜「９」の数字キーのいずれかを押下した場合を含む）にも（Ｓ４２：Ｎｏ）、使用者により確定キー９ｄが押下されたか否かが判断される（Ｓ４６）。使用者が確定キー９ｄを押下した場合には（Ｓ４６：Ｙｅｓ）、外部メモリ１８又は内部メモリ４ａに記憶される新たな画像データのデータ形式がデフォルトのデータ形式（本実施の形態ではＪＰＥＧ形式）に設定され（Ｓ４７）、図２の実行メインプログラムに戻る。使用者が確定キー９ｄを押下していない場合には（Ｓ４６：Ｎｏ）、Ｓ４２に戻る。
【００７０】
このように、Ｓ４では、原稿読取部６により原稿が読み取られて作成される画像データ（新たな画像データ）のデータ形式が設定される。
【００７１】
Ｓ４において新たな画像データのデータ形式が設定されると、「Ｎｉｎ１キー」９ｇが使用者により押下されたか否かが判断される（Ｓ５）。「Ｎｉｎ１キー」９ｇが使用者により押下されていない場合には（Ｓ５：Ｎｏ）、Ｓ７に進む。しかし、「Ｎｉｎ１キー」９ｇが使用者により押下されたと判断されると（Ｓ５：Ｙｅｓ）、図６に示すＮｉｎ１の設定処理をするための実行サブプログラムが起動する（Ｓ６）。このＮｉｎ１の設定処理では、使用者によって１ページ中に配置する画像データの正数Ｎが設定される。
【００７２】
まず、所定の正数Ｎから構成されるＮｉｎ１データ形式の項目から構成されるＮｉｎ１指定入力画面がＬＣＤ８上に表示される（Ｓ６１）。Ｎｉｎ１指定入力画面は、具体的には、図７（ａ）に示すように、「０．Ｎｉｎ１無、１．２ｉｎ１、２．４ｉｎ１、３．８ｉｎ１、４．１６ｉｎ１」からなる各項目３０と、「５．Ｎ入力指定」からなる項目３０ａと、各項目３０、３０ａに対応する項目番号３１と、カーソル３２と、から構成される。使用者は、カーソル３２を矢印キー９ｃにより希望の項目３０、３０ａに合わせるか、テンキー９ａにより該当する項目３０、３０ａの番号３１（この場合「０」〜「５」）を入力する等して所望の項目を選択することができる。
【００７３】
使用者が矢印キー９ｃか、又はテンキー９ａから「０」〜「５」のうちいずれかの数字キーを押下することにより、項目３０、３０ａの選択がなされたか否かが判断される（Ｓ６２）。使用者が矢印キー９ｃ又は「０」〜「５」のうちいずれかの数字キーを押下して項目３０、３０ａのうちいずれかの項目を選択した場合には（Ｓ６２：Ｙｅｓ）、使用者により確定キー９ｄが押下されたか否かが判断される（Ｓ６３）。使用者が矢印キー９ｃ又は「０」〜「５」のうちいずれの数字キーをも押下していない場合には（Ｓ６２：Ｎｏ）、Ｓ６２が繰り返される。また、使用者が「６」〜「９」のうちいずれかの数字キーを押下した場合にも、Ｓ６２は否定判断がなされる。
【００７４】
そして、いずれかの項目が選択された状態で、使用者により確定キー９ｄが押下されると（Ｓ６３：Ｙｅｓ）、設定された正数ＮがＲＡＭ４に記憶されるとともに、Ｎｉｎ１フラグがオン状態に設定される。但し、「０．Ｎｉｎ１無」が設定された場合には、ＲＡＭ４のＮｉｎ１フラグはオフ状態に設定される。従って、この場合にはＮｉｎ１設定はなされなかったのと同じになる。また、「５．Ｎ入力指定」が設定された場合には、図７（ｂ）に示すようにＮ入力画面３３がＬＣＤ８上に表示される。使用者はテンキー９ａ等により所定の正数Ｎを入力することで、自らの所望するＮの値を設定することが可能である。この場合には、使用者が自ら入力した設定された正数ＮがＲＡＭ４に記憶されるとともに、Ｎｉｎ１フラグがＯＮ状態に設定される。そして、図２の実行メインプログラムに戻る。ここで、Ｎｉｎ１フラグがオン状態であることは、Ｎｉｎ１の設定がされていることを示す。具体的には、使用者によって正数Ｎが設定されるとＮｉｎ１フラグ記憶領域４ｂにフラグ「１」が記憶される。また、図２のＳ５においてＮｉｎ１キー９ｇが押下されない場合は、Ｎｉｎ１フラグはオフ状態のままであり、Ｎｉｎ１の設定がなされていないことを示す。具体的には、Ｎｉｎ１フラグ記憶領域４ｂにはフラグ「０」が記憶され続ける。
【００７５】
次に、使用者によりスタートキー９ｈが押下された否かが判断される（Ｓ７）。スタートキー９ｈが使用者により押下されなければ（Ｓ７：Ｎｏ）、Ｓ５に戻る。しかし、スタートキー９ｈが使用者により押下されると（Ｓ７：Ｙｅｓ）、Ｓ３、Ｓ４或いはＳ６における各種設定に基づいて「ＳＣＡＮ　ＴＯ　ＰＣＣ」処理が実行されることとなる。
【００７６】
まず、原稿のページ数を表すパラメータＰに１が設定され（Ｓ８）、原稿読取部６により１ページ分の原稿が読み取られる（Ｓ９）。このパラメータＰはＲＡＭ４内の所定の領域に記憶される。次に、現在Ｎｉｎ１が設定されているか否かが判断される（Ｓ１０）。具体的には、この判断は、Ｎｉｎ１フラグがオン状態になっているか否か、即ちＮｉｎ１フラグ記憶領域４ｂに「１」が記憶されているか否かにより判断される。Ｎｉｎ１が設定されている場合には（Ｓ１０：Ｙｅｓ）、ＲＡＭ４内に記憶されている所定の正数Ｎに基づいて、原稿１ページ分の面積の１／Ｎの面積を持つ画像データが、Ｓ４で設定されたデータ形式で作成される（Ｓ１１）。また、Ｎｉｎ１が設定されていない場合には（Ｓ１０：Ｎｏ）、原稿１ページ分の面積の画像データがＳ４で設定されたデータ形式で作成される（Ｓ１２）。
【００７７】
次に、原稿全ページの読み取りが終了したか否かが判断される（Ｓ１３）。この判断は公知の原稿センサによる原稿の有無の検出や、使用者による読取終了の入力操作により行われる。原稿全ページ分の読み取りが終了していない場合には（Ｓ１３：Ｎｏ）、パラメータＰの値に「１」を加える演算処理がされることにより、原稿のページ数を表すパラメータＰの値が変更される（Ｓ１４）。また、パラメータＰの値を変更後、Ｓ９に戻り、原稿読取部６により次の１ページ分の原稿を読み取られる。このように原稿読取部６に載置されている原稿の全ページが読み取られるまでＳ９〜Ｓ１４の処理が繰り返される。全ページ分の原稿の読み取りが終了している場合には（Ｓ１３：Ｙｅｓ）、Ｎｉｎ１設定がなされているか否かが再び判断される（Ｓ１５）。Ｎｉｎ１設定がされていれば（Ｓ１５：Ｙｅｓ）、Ｓ１１において作成された原稿１ページ分の面積の１／Ｎの面積の画像データから、Ｓ４で設定されたデータ形式で１ページ分のＮｉｎ１画像データが作成され（Ｓ１６）、Ｓ１７へ進む。例えば、Ｎ＝４の場合には、Ｓ１１で１ページ分の１／４の面積の画像データが作成され、Ｓ１６で１ページ分の１／４の面積の画像データを４ページ分使用することで１ページ分の４ｉｎ１画像データが作成されることとなる。この場合、Ｓ１１で作成された画像データが４ページ以内ならＳ１６で４ｉｎ１画像データが１ページ作成され、Ｓ１１で作成された画像データが４ページより多ければ、Ｓ１６で４ｉｎ１画像データが複数ページ作成されることはいうまでもない。また、１／４の面積の画像データが４ページに満たない場合には、白画像データのページが挿入される。即ち、１／４の面積の画像データが３ページ分あるときは、４ページ目として１／４の面積の白画像データが使用される。一方、Ｎｉｎ１設定がなされていなければ（Ｓ１５：Ｎｏ）、即座にＳ１７へ進む。
【００７８】
そして、外部メモリ１８内にＰＤＦファイルが予め記憶されているか否かが判断される（Ｓ１７）。このとき、Ｓ３において外部メモリ１８が装着されていない旨の判断がされ、且つ使用者が「Ｓｃａｎ　Ｔｏ　Ｐｃｃ」処理の継続を所望した場合には、内部メモリ４ａ内にＰＤＦファイルがあらかじめ記憶されているか否かが判断される。外部メモリ１８内又は内部メモリ４ａ内にＰＤＦファイルが予め記憶されていれば（Ｓ１７：Ｙｅｓ）、Ｓ１２又はＳ１６において作成された新しい画像データがＪＰＥＧ形式の画像データであるか否かが判断される（Ｓ１８）。Ｓ１２又はＳ１６において作成された新しい画像データがＪＰＥＧ形式の画像データでなければ（Ｓ１８：Ｎｏ）、この画像データをＪＰＥＧ形式の画像データに変換し（Ｓ１９）、そのＪＰＥＧ形式に変換された画像データが外部メモリ１８又は内部メモリ４ａに記憶されているＰＤＦファイルの末尾に追加されてＰＤＦファイルが更新され、且つ再びその更新されたＰＤＦファイルが外部メモリ１８又は内部メモリ４ａに記憶される（Ｓ２０）ことにより、「Ｓｃａｎ　Ｔｏ　Ｐｃｃ」処理が終了する。
【００７９】
一方、Ｓ１２又はＳ１６において作成された新しい画像データがＪＰＥＧ形式の画像データであれば（Ｓ１８：Ｙｅｓ）、そのＪＰＥＧ形式の画像データが外部メモリ１８又は内部メモリ４ａに記憶されているＰＤＦファイルの末尾に追加されてＰＤＦファイルが更新され、且つ再びその更新されたＰＤＦファイルが外部メモリ１８又は内部メモリ４ａに記憶される（Ｓ２０）ことにより、「Ｓｃａｎ　Ｔｏ　Ｐｃｃ」処理が終了する。
【００８０】
また、外部メモリ１８内又は内部メモリ４ａ内にＰＤＦファイルが予め記憶されていなければ（Ｓ１７：Ｎｏ）、次に外部メモリ１８内又は内部メモリ４ａ内に何らかの形式の画像データが予め記憶されているか否か判断される（Ｓ２１）。
【００８１】
外部メモリ１８内又は内部メモリ４ａ内に何らかの形式の画像データが予め記憶されていれば（Ｓ２１：Ｙｅｓ）、外部メモリ１８内又は内部メモリ４ａ内に作成されている画像データがＪＰＥＧ形式の画像データであるか否かが判断される（Ｓ２２）。外部メモリ１８内又は内部メモリ４ａ内に作成されている画像データがＪＰＥＧ形式の画像データであれば（Ｓ２２：Ｙｅｓ）、そのままＳ２４に進み、ＪＰＥＧ形式の画像データでなければ（Ｓ２２：Ｎｏ）、外部メモリ１８内又は内部メモリ４ａ内に記憶されている画像データがＪＰＥＧ形式の画像データに変換され（Ｓ２３）、Ｓ２４へ進む。
【００８２】
そして、外部メモリ１８内又は内部メモリ４ａ内に記憶されているＪＰＥＧ形式の画像データがＰＤＦファイルに変換されて（Ｓ２４）、Ｓ１８に進む。
【００８３】
また、外部メモリ１８内又は内部メモリ４ａ内に何らかの形式の画像データが予め記憶されていなければ（Ｓ２１：Ｎｏ）、第１の名称入力処理をするための実行サブプログラム（図８）が起動する（Ｓ２５）。この第１の名称入力処理により、原稿読取部６により読み取られ新たに作成される画像データを外部メモリ１８内又は内部メモリ４ａ内に記憶する際のＰＤＦファイルの名称、又は画像データの名称が設定される。
【００８４】
第１の名称入力処理（図８）においては、まず、使用者が原稿読取部６に読み取られ作成された画像データ（新たな画像データ）の名称を入力するための画面がＬＣＤ８上に表示される（Ｓ８１）。使用者は表示された画面に従って、キーボード９を用いて所望の名称を入力可能である。次に、新たな画像データの名称として、テンキー９ａ等からのキー入力が使用者によりなされたか否かが判断される（Ｓ８２）。テンキー９ａ等からのキー入力が使用者によりなされた場合には（Ｓ８２：Ｙｅｓ）、入力した名称が確定されたか否かが判断される（Ｓ８３）。具体的には、使用者により確定キー９ｄが押下されたか否かが判断される。使用者により確定キー９ｄが押下されたと判断されれば（Ｓ８３：Ｙｅｓ）、使用者によって入力された名称で新たな画像データの名称が設定され、図２の実行メインプログラムに戻る。使用者により確定キー９ｄが押下されたと判断されなければ（Ｓ８３：Ｎｏ）、Ｓ８２へと戻る。
【００８５】
一方、テンキー９ａ等からのキー入力が使用者によりなされていない場合には（Ｓ８２：Ｎｏ）、使用者によりそのまま確定キー９ｄが押下されたか否かが判断される（Ｓ８５）。使用者によりそのまま確定キー９ｄが押下されたと判断されれば（Ｓ８５：Ｙｅｓ）、新たな画像データの名称として、予め定められた連番初期値（例えば、ｉｍｇ０００１等）による名称が設定され、図２の実行メインプログラムに戻る。使用者により確定キー９ｄが押下されたと判断されなければ（Ｓ８５：Ｎｏ）、Ｓ８２に戻る。
【００８６】
この説明からも明らかなように、画像データ処理装置１００において、外部メモリ１８内又は内部メモリ４ａ内にＰＤＦファイルも何らかの画像データも存在しない場合（何も記憶されていない場合）には、まず使用者によって新たな画像データ又はＰＤＦファイルの名称が設定される。
【００８７】
次に、原稿読取部６により読み取られた原稿に基づいて作成された画像データを新規に記憶処理するための実行サブプログラム（図９）が起動し（Ｓ２６）、原稿読取部６により読み取られ作成された画像データが外部メモリ１８内又は内部メモリ４ａ内に、Ｓ２５において設定された名称からなる１つのＰＤＦファイル、又は１つの画像データとして記憶される。
【００８８】
画像データ新規記憶処理（図９）においては、まず、Ｎｉｎ１データ形式の設定がされているか否かが判断される（Ｓ９１）。具体的には、ＲＡＭ４のＮｉｎ１フラグ記憶領域４ｂに「１」が記憶されているか否かが判断される。Ｎｉｎ１フラグ記憶領域４ｂに「１」が記憶されていれば（Ｓ９１：Ｙｅｓ）、ＲＡＭ４に記憶されている原稿の総ページ数Ｐの値と、図２のＳ６において設定されてＲＡＭ４内に記憶されている正数Ｎの値とが比較され、Ｐの値がＮの値よりも大きい値であるか否かが判断される（Ｓ９２）。Ｐの値がＮの値よりも大きい値であれば、即ち、原稿の総ページ数がＮよりも大きい値であれば（Ｓ９２：Ｙｅｓ）、原稿読取部６により原稿が読み取られて作成された画像データ（新たな画像データ）がＪＰＥＧ形式であるか否かが判断される（Ｓ９３）。新たな画像データがＪＰＥＧ形式であれば（Ｓ９３：Ｙｅｓ）、新しい画像データはＰＤＦファイルに変換される（Ｓ９５）。新たな画像データがＪＰＥＧ形式でなければ（Ｓ９３：Ｎｏ）、新しい画像データはＪＰＥＧ形式に変換された後（Ｓ９４）、ＰＤＦファイルに変換される（Ｓ９５）。そして、図２のＳ２５（第１の名称入力処理）で設定された名称が上記ＰＤＦファイルのファイル名称として付けられ、外部メモリ１８又は内部メモリ４ａに記憶され（Ｓ９６）、図２の実行メインプログラムに戻る。
【００８９】
一方、Ｎｉｎ１フラグ記憶領域４ｂに「１」が記憶されていなければ、ＲＡＭ４に記憶されている原稿の総ページ数Ｐの値が２以上（複数）であるか否かが判断される（Ｓ９７）。原稿の総ページ数Ｐの値が２以上（複数）であれば（Ｓ９７：Ｙｅｓ）、上述したＳ９３へ進み、原稿の総ページ数Ｐの値が２以上（複数）でなければ（Ｓ９７：Ｎｏ）、Ｓ９６へ進む。即ち、この場合の原稿は１枚だけである。そして、この１枚の原稿から作成された画像データには、図２のＳ２５（第１の名称入力処理）で設定された名称が付けられ、外部メモリ１８又は内部メモリ４ａにそのまま画像データとして記憶され（Ｓ９６）、図２の実行メインプログラムに戻る。
【００９０】
また、Ｐの値がＮの値よりも大きい値でなければ、即ち、原稿の総ページ数がＮ以下の値であれば（Ｓ９２：Ｎｏ）、Ｓ９６へ進む。即ち、この場合作成されているＮｉｎ１画像データは１ページ分のみである。従って、この１ページ分のＮｉｎ１画像データには、図２のＳ２５（第１の名称入力処理）で設定された名称が付けられ、外部メモリ１８又は内部メモリ４ａにそのまま画像データとして記憶され（Ｓ９６）、図２の実行メインプログラムに戻る。
【００９１】
そして、図２に示す「Ｓｃａｎ　Ｔｏ　Ｐｃｃ」処理が実行されている最中、若しくはその後に外部メモリ１８が第１スロット１１に挿入された際の処理について図１０を参照して説明する。この外部メモリ挿入処理用の実行サブプログラムは、外部メモリ１８が対応する第１スロット１１に挿入された際に起動される。
【００９２】
この外部メモリ挿入処理（図１０）においては、まず、仮置のＰＤＦファイル又は画像データが内部メモリ４ａ内に存在するか否かが判断される（Ｓ１０１）。仮置のＰＤＦファイル又は画像データが内部メモリ４ａ内に存在している場合には（Ｓ１０１：Ｙｅｓ）、画像データ処理装置１００が新たな画像データを内部メモリ４ａ内のＰＤＦファイルに現在追加中であるか、又は画像データ処理装置１００が新たな画像データを内部メモリ４ａ内に現在新規に記憶中であるか否かが判断される（Ｓ１０２）。画像データ処理装置１００が新しい画像データを内部メモリ４ａに追加中又は記憶中の場合には（Ｓ１０２：Ｙｅｓ）、Ｓ１０１に戻る。一方、画像データ処理装置１００が新しい画像データを内部メモリ４ａに追加中又は記憶中ではない場合には（Ｓ１０２：Ｎｏ）、内部メモリ４ａに存在する仮置のＰＤＦファイル又は画像データが外部メモリ１８に移動（記憶）され（Ｓ１０３）、本処理は終了する。この処理が終了することにより、それ以降の新たな画像データの追加先又は記憶先は外部メモリ１８に設定される。また、この外部メモリ挿入処理は、第２〜第７の実施形態において説明されていないが、第１の実施形態と同様に、外部メモリ１８が対応する第１スロット１１に挿入された際に第２〜第７の実施形態においても起動されることは言うまでもない。
【００９３】
なお、本実施例では、ＰＤＦファイルに新しい画像を追加して記憶する際、特定の画像圧縮方式（ＪＰＥＧ形式）を統一して用いているが、ＰＤＦファイルは符号化された画像データならその画像データをその末尾に後続のページとして追加して記憶することができるので、例えばＧＩＦ形式を統一して用いることも可能である。
【００９４】
以上説明したことから明らかなように、この第１の実施形態の画像データ処理装置１００においては、予め外部メモリ１８内又は内部メモリ４ａ内にＰＤＦファイルのみが記憶されている場合には、新たに作成されるＪＰＥＧ形式の画像データはＰＤＦファイルの末尾に追加されて記憶される。
【００９５】
また、予め外部メモリ１８内又は内部メモリ４ａ内に何らかのデータ形式の画像データのみが記憶されている場合には、その外部メモリ１８内又は内部メモリ４ａ内の画像データはＪＰＥＧ形式の画像データに変換されるとともに、ＰＤＦファイルに変換される。そして、新たに作成されるＪＰＥＧ形式の画像データがそのＰＤＦファイルの末尾に追加されて記憶される。
【００９６】
また、予め外部メモリ１８内又は内部メモリ４ａ内にＰＤＦファイル及び何らかのデータ形式の画像データが存在する場合は、ＰＤＦファイルが優先的に選択され、そのＰＤＦファイルの末尾に新たに作成される画像データが記憶される。
【００９７】
また、予め外部メモリ１８内又は内部メモリ４ａ内にＰＤＦファイルも画像データも記憶されていない場合には、新たに作成される画像データは外部メモリ１８又は内部メモリ４ａに新たな名称（Ｓ２５で設定された名称）で画像データのまま、又はＰＤＦファイルとして記憶される。新たに作成される画像データが１ページ分の場合は、そのまま（設定されたデータ形式で作成された画像データのまま）新たな名称で外部メモリ１８又は内部メモリ４ａに記憶される。一方、新たに作成される画像データが複数ページ分の場合は、所定のデータ形式たるＰＤＦファイルに変換されたのち、新たな名称で外部メモリ１８又は内部メモリ４ａに記憶される。
【００９８】
―第２の実施形態―
以下、図１１〜図１５を参照して、本発明に係る画像データ処理装置１００の第２の実施形態について説明する。
【００９９】
図１１は、第２の実施形態の実行メインプログラムを示すフローチャートである。図１２は、ＰＤＦファイルの指定処理の処理過程を示すフローチャートである。図１３は、図１２のＳ１３１におけるＰＤＦファイル指定画面を示す図である。図１４は、画像データの新規記憶処理の処理過程を示すフローチャートである。図１５は、第２の名称入力処理の処理過程を示すフローチャートである。
【０１００】
この第２の実施形態（図１１）のＳ１１１〜Ｓ１１３は、第１の実施形態のＳ１〜Ｓ３と同様であるので、ここでは詳述しない。Ｓ１１３が終了すると、ＰＤＦファイルの指定処理をするための実行サブプログラム（図１２）が起動する（Ｓ１１４）。このＰＤＦファイルの指定処理では、外部メモリ１８内又は内部メモリ４ａ内に複数のＰＤＦファイルが存在する場合に、新たな画像データを追加すべきＰＤＦファイルが使用者により指定されるものである。
【０１０１】
まず、外部メモリ１８又は内部メモリ４ａに記憶されている複数のＰＤＦファイルを特定するためのＰＤＦファイル選択画面３４（図１３）がＬＣＤ８上に表示される（Ｓ１３１）。このＰＤＦファイル選択画面３４は、ＰＤＦファイルを示す複数の項目３５と、各ＰＤＦファイルの項目３５に対応する番号３７と、カーソル３８とから構成されている。具体的には、このＰＤＦファイル項目３５はファイルの名称部分３５ａとＰＤＦ拡張子３５ｂとから構成されるが、ＰＤＦ拡張子３５ｂは必ずしも表示されなくともよい。使用者は、カーソル３８を矢印キー９ｃにより希望のＰＤＦファイルの項目３５に合わせるか、テンキー９ａにより該当するＰＤＦファイルの項目３５に対応する番号３７を入力する等して所望のＰＤＦファイルを選択することができる。
【０１０２】
そして、矢印キー９ｃ又はテンキー９ａ等を用いて使用者が特定のＰＤＦファイルを選択したか否かが判断される（Ｓ１３２）。使用者が矢印キー９ｃを押下するか又はテンキー９ａを押下して番号３７のいずれかを入力すれば（Ｓ１３２：Ｙｅｓ）、使用者が確定キー９ｄを押下したか否かが判断される（Ｓ１３３）。使用者が確定キー９ｄを押下していないと判断されれば（Ｓ１３３：Ｎｏ）、Ｓ１３２へと戻る。使用者が確定キー９ｄを押下したと判断されれば（Ｓ１３３：Ｙｅｓ）、新たに画像データが追加されるＰＤＦファイルとして使用者がＳ１３２で選択したＰＤＦファイルが確定され（Ｓ１３４）、図１１の実行メインプログラムに戻る。
【０１０３】
一方、使用者が矢印キー９ｃの押下もテンキー９ａの押下もしていなければ（Ｓ１３２：Ｎｏ）、使用者がそのまま確定キー９ｄを押下したか否かが判断される（Ｓ１３５）。使用者が確定キー９ｄを押下していないと判断されれば（Ｓ１３５：Ｎｏ）、Ｓ１３２へ戻る。しかし、使用者が確定キー９ｄを押下したと判断されると（Ｓ１３５：Ｙｅｓ）、追加先ＰＤＦファイル又は画像データの無指定に基づく画像データの新規記憶処理（図１４）を実行するための実行サブプログラムが起動される（Ｓ１３６）。即ち、図１３に示すＰＤＦファイル選択画面３４においてデフォルトの状態ではカーソル３８は「新規記憶処理」という項目３６を示しているので、この段階で使用者により確定キー９ｄが押下されれば、使用者は新たな画像データを既存のＰＤＦファイルへの追加ではなく新規に外部メモリ１８又は内部メモリ４ａに記憶したいのである。この画像データ新規記憶処理では、外部メモリ１８又は内部メモリ４ａに新たな画像データがそのまま又はＰＤＦファイルに変換されて記憶される。
【０１０４】
図１４の追加先ＰＤＦファイル又は画像データの無指定に基づく画像データの新規記憶処理が起動されると、まず、第２の名称入力処理（図１５）のための実行サブプログラムが起動される（Ｓ１４１）。第２の名称入力処理では、例えば、原稿が原稿読取部６により読み取られて作成された画像データ（新たな画像データ）をＰＤＦファイルに変換して又は画像データのまま外部メモリ１８又は内部メモリ４ａに記憶するための名称が設定される。以下に、図１５の第２の名称入力処理を説明する。
【０１０５】
まず、新たに外部メモリ１８又は内部メモリ４ａ内に記憶させるべき画像データ又はＰＤＦファイルの名称を入力するための図示しない画面がＬＣＤ８上に表示される。次に、使用者がテンキー９ａ等を用いて何らかの数字や英字を画像データ又はファイルの名称として入力したか否かが判断される（Ｓ１５９）。名称として何らかの数字や英字等が入力されたと判断されれば（Ｓ１５９：Ｙｅｓ）、更に使用者により確定キー９ｄが押下されたか否かが判断される（Ｓ１６０）。使用者により確定キー９ｄが押下されたと判断されれば（Ｓ１６０：Ｙｅｓ）、外部メモリ１８内又は内部メモリ４ａ内に同一名称のＰＤＦファイル又は画像データが存在するか否かが判断される（Ｓ１６１）。外部メモリ１８内又は内部メモリ４ａ内に同一名称のＰＤＦファイル又は画像データが存在していないと判断されれば（Ｓ１６１：Ｎｏ）、使用者がＳ１５９，Ｓ１６０にて入力確定した名称が、新たな画像データをＰＤＦファイル又は画像データのまま外部メモリ１８又は内部メモリ４ａに記憶するための名称として設定される。
【０１０６】
一方、外部メモリ１８内又は内部メモリ４ａ内に同一名称のＰＤＦファイル又は画像データが存在していると判断されれば（Ｓ１６１：Ｙｅｓ）、使用者に同一名称のＰＤＦファイル又は画像データが存在する旨が報知されるとともに、使用者に対して同一名称のＰＤＦファイル又は画像データに新たな画像データを追加して記憶するか否かを質問する（Ｓ１６２）。この報知や質問は例えばＬＣＤ８に表示されたり、図示しないスピーカ等により音声で行われる。次に、使用者がキーボード９からの入力により追加を指示したか否かが判断される（Ｓ１６３）。使用者がキーボード９からの入力により追加を拒絶した場合には（Ｓ１６３：Ｎｏ）、Ｓ１５８に戻る。しかし、使用者がキーボード９からの入力により追加を是認した場合には（Ｓ１６３：Ｙｅｓ）、図１２のＳ１３４へ進む。
【０１０７】
一方、数字や英字等が何ら入力されていないと判断されれば（Ｓ１５９：Ｎｏ）、使用者により確定キー９ｄが押下されたか否かが判断される（Ｓ１６５）。使用者により確定キー９ｄが押下されていないと判断されれば（Ｓ１６５：Ｎｏ）、Ｓ１５９へ戻る。しかし、使用者により確定キー９ｄが押下されたと判断されれば、即ち、Ｓ１５９で何らの名称入力がされていない状態で確定キー９ｄの押下があった場合（Ｓ１６５：Ｙｅｓ）、外部メモリ１８内又は内部メモリ４ａ内の連番名称の検索処理がなされる（Ｓ１６６）。具体的には、外部メモリ１８内又は内部メモリ４ａ内に連番で作成された名称のＰＤＦファイル及び／又は画像データが存在するか否かが検索される。次に、Ｓ１６６における連番名称の検索処理において、外部メモリ１８内又は内部メモリ４ａ内に連番名称のＰＤＦファイル又は画像データが存在したか否かが判断される（Ｓ１６７）。
【０１０８】
外部メモリ１８内又は内部メモリ４ａ内に連番名称のＰＤＦファイル又は画像データが存在している場合には（Ｓ１６７：Ｙｅｓ）、Ｓ１６６により検索された連番名称のうち、最大値を持つ連番名称の最後尾の数値に「１」を加える演算処理がなされ、更にその連番名称が新たなＰＤＦファイル又は画像データの名称として設定される（Ｓ１６８）。例えば、検索された連番名称が「ｉｍｇ０００１」と「ｉｍｇ０００２」の場合には、「ｉｍｇ０００３」が新たなＰＤＦファイル又は画像データの名称として設定される。そして、図１４の追加先ＰＤＦファイル又は画像データの無指定に基づく画像データの新規記憶処理の実行サブプログラムに戻る。
【０１０９】
一方、外部メモリ１８内に連番名称のＰＤＦファイル又は画像データが存在していない場合には（Ｓ１６７：Ｎｏ）、初期値を持つ連番名称が新たなＰＤＦファイル又は画像データの名称として設定される（Ｓ１６９）。例えば、「ｉｍｇ０００１」が新たなＰＤＦファイル又は画像データの名称として設定される。そして、図１４の追加先ＰＤＦファイル又は画像データの無指定に基づく画像データの新規記憶処理の実行サブプログラムに戻る。
【０１１０】
次に、図１５の第２の名称入力処理において新たな名称が設定された場合には、図４に示すデータ形式選択処理が実行される（Ｓ１４２）。しかし、Ｓ１４２〜Ｓ１５５の処理は、図２に示す第１の実施形態のＳ４〜Ｓ１６と同一なので、ここでは改めて説明しない。更に、Ｓ１５６の処理は、図２に示す第１の実施形態のＳ２６（図９の画像データ新規記憶処理）と同一なので、ここでは説明しない。
【０１１１】
Ｓ１５６が終了すると、図１１に示す実行メインプログラムも終了する。
【０１１２】
一方、図１２のＳ１３４にて、新たな画像データが追加されるＰＤＦファイルが確定されると、図１１に示す第２の実施形態の実行メインプログラムにおいて「Ｎｉｎ１キー」９ｇが使用者により押下されたか否かが判断される（Ｓ１１５）。しかし、Ｓ１１５〜Ｓ１２６までは、図２に示すＳ５〜Ｓ１６とほぼ同一なので、ここでは改めて説明しない。但し、この第２の実施形態においては、使用者が選択したＰＤＦファイルの末尾に新たな画像データを追加することになるので、Ｓ１２１、Ｓ１２２、Ｓ１２６においては第１の実施形態のように選択されたデータ形式ではなく、ＪＰＥＧ形式の画像データが作成される。
【０１１３】
そして、Ｓ１１４において指定されたＰＤＦファイルの末尾にＳ１２６で作成された画像データ又はＳ１２２で作成されたＪＰＥＧ形式の画像データが追加され記憶されて、第２の実施形態はその処理を終了する。
【０１１４】
以上の説明からも明らかなように、この画像データ処理装置１００において、予め外部メモリ１８内又は内部メモリ４ａ内にＰＤＦファイルが複数存在する場合は、使用者によってそのＰＤＦファイルのうち１つが指定され、その指定されたＰＤＦファイルに新たな画像データが追加され記憶される。
【０１１５】
また、使用者が特定のＰＤＦファイルを選択しなかった場合には、外部メモリ１８又は内部メモリ４ａには新たな画像データ又はＰＤＦファイルが新たに設定された名称で記憶される。この場合、新たに作成された画像データが１ページ分の場合は、そのまま（設定されたデータ形式で作成された画像データのまま）新たな名称で外部メモリ１８又は内部メモリ４ａに記憶される。一方、新たに作成された画像データが複数ページ分の場合は、所定のデータ形式たるＰＤＦファイルに変換されたのち、新たな名称で外部メモリ１８又は内部メモリ４ａに記憶される。
【０１１６】
―第３の実施形態―
以下、図１６〜図１７を参照して、本発明に係る画像データ処理装置の第３の実施形態について説明する。
【０１１７】
図１６は第３の実施形態の処理過程を示すフローチャートである。図１７は画像データの指定処理の処理過程を示すフローチャートである。
【０１１８】
まず、Ｓ１７１〜Ｓ１７３は第１の実施形態のＳ１〜Ｓ３と同一なので、ここでは改めて説明しない。Ｓ１７３が終了すると、図１７に示す画像データの指定処理をするための実行サブプログラムが起動する（Ｓ１７４）。この画像データの指定処理では、外部メモリ１８又は内部メモリ４ａに記憶されている複数の画像データから使用者によって特定の画像データが指定される。
【０１１９】
図１７において、まず外部メモリ１８又は内部メモリ４ａに記憶されている複数の画像データを特定するための画像データ選択画面がＬＣＤ８上に表示される（Ｓ１９１）。ここでは画像データ選択画面を図示しないが、図１３のＰＤＦファイル選択画面３４における各項目３５が各種画像データの名称及びそのデータ形式を表す拡張子に置き換えられただけである。
【０１２０】
次に、特定の画像データが選択されたか否かが、即ち使用者が矢印キー９ｃを入力してカーソルを次の画像データ項目に移動させたか否か、及びテンキー９ａにより該当する画像データ項目に対応する番号を入力したか否かが判断される（Ｓ１９２）。使用者が矢印キー９ｃを押下するか又はテンキー９ａを押下して番号のいずれかを入力すれば（Ｓ１９２：Ｙｅｓ）、使用者が確定キー９ｄを押下したか否かが判断される（Ｓ１９３）。使用者が確定キー９ｄを押下していないと判断されれば（Ｓ１９３：Ｎｏ）、Ｓ１９２へと戻る。使用者が確定キー９ｄを押下したと判断されれば（Ｓ１９３：Ｙｅｓ）、新たな画像データが追加される画像データとして使用者がＳ１９２で選択した画像データが確定され、更にその確定した画像データのデータ形式がＪＰＥＧ形式か否かが判断される（Ｓ１９４）。使用者が確定した画像データのデータ形式がＪＰＥＧ形式の場合には（Ｓ１９４：Ｙｅｓ）、そのＪＰＥＧ形式の画像データをＰＤＦファイルに変換する（Ｓ１９６）。使用者が確定した画像データのデータ形式がＪＰＥＧ形式ではない場合には（Ｓ１９４：Ｎｏ）、その画像データをＪＰＥＧ形式に変換し（Ｓ１９５）、その後ＰＤＦファイルに変換する（Ｓ１９６）。そして、図１６の実行メインプログラムへと戻る。
【０１２１】
一方、使用者が矢印キー９ｃの押下もテンキー９ａの押下もしていなければ（Ｓ１９２：Ｎｏ）、使用者がそのまま確定キー９ｄを押下したか否かが判断される（Ｓ１９７）。使用者が確定キー９ｄを押下していないと判断されれば（Ｓ１９７：Ｎｏ）、Ｓ１９２へ戻る。しかし、使用者が確定キー９ｄを押下したと判断されると（Ｓ１９７：Ｙｅｓ）、追加先ＰＤＦファイル又は画像データの無指定に基づく画像データの新規記憶処理（図１４）を実行するための実行サブプログラムが起動される（Ｓ１９８）。即ち、画像データ選択画面においてデフォルトの状態では「新規記憶処理」になっているので、この段階で使用者が確定キー９ｄを押下すれば、使用者は新たな画像データを既存の画像データへの追加ではなく新規に外部メモリ１８又は内部メモリ４ａに記憶したいということである。この新規記憶処理では、外部メモリ１８又は内部メモリ４ａに新たな画像データがそのまま又はＰＤＦファイルに変換されて記憶される。図１４の追加先ＰＤＦファイル又は画像データの無指定に基づく画像データの新規記憶処理は上述したので、ここでは改めて説明しない。そして、この図１４のＳ１４１、即ち図１５の第２の名称処理の処理でＳ１６３が肯定された場合には、図１６のＳ１９４へと進むことになる。また、図１４のＳ１５６、即ち図９の画像データ新規記憶処理が終了したら、図１６に示す第３の実施形態は終了する。
【０１２２】
図１７の画像データ処理においてＳ１９６が終了したら、Ｎｉｎ１キー９ｇが使用者により押下されたか否かが判断される（Ｓ１７５）。ここで、Ｓ１７５〜Ｓ１８６までの処理は、第２の実施形態のＳ１１５〜Ｓ１２６までの処理と同一であるので、詳述しない。
【０１２３】
最後に、外部メモリ１８又は内部メモリ４ａに記憶されている画像データから変換されたＰＤＦファイルの末尾にＳ１８６で作成された画像データ、又はＳ１８２で作成された画像データが追加されて更新された後、更新後のＰＤＦファイルが再び外部メモリ１８又は内部メモリ４ａに記憶され、第３の実施形態の処理が終了する。
【０１２４】
以上の説明からも明らかなように、この画像データ処理装置１００では、予め外部メモリ１８又は内部メモリ４ａに複数の画像データが記憶されている場合には、使用者によってその画像データの中から特定の画像データが指定され、その指定された画像データが所定のフォーマット形式（ＰＤＦファイル）に変換される。更に新たな画像データがそのＰＤＦファイルに追加されることにより更新され、更新されたＰＤＦファイルは外部メモリ１８又は内部メモリ４ａに記憶される。
【０１２５】
また、使用者が特定の画像データを選択しなかった場合には、外部メモリ１８又は内部メモリ４ａには新たな画像データ又はＰＤＦファイルが新たに設定された名称で記憶される。この場合、新たに作成された画像データが１ページ分の場合は、そのまま（設定されたデータ形式で作成された画像データのまま）新たな名称で外部メモリ１８又は内部メモリ４ａに記憶される。一方、新たに作成された画像データが複数ページ分の場合は、所定のデータ形式たるＰＤＦファイルに変換されたのち、新たな名称で外部メモリ１８又は内部メモリ４ａに記憶される。
【０１２６】
―第４の実施形態―
以下、図１８、図１９、図２１を参照して、本発明に係る画像データ処理装置の第４の実施形態について説明する。図１８は第４の実施形態の処理過程を示すフローチャートである。図１９は図１８のＳ２０４に示す追加先指定処理の処理過程を示すフローチャートである。図２１は第３の名称入力処理の処理過程を示すフローチャートである。この第４の実施形態は、Ｓ２０４とＳ２１７以外は第２の実施形態や第３の実施形態と略同一であるので、ここでは、Ｓ２０４とＳ２１７を中心に説明する。
【０１２７】
Ｓ２０１〜Ｓ２０３は第２の実施形態のＳ１１１〜Ｓ１１３の処理や、第３の実施形態のＳ１７１〜Ｓ１７３の処理と同一である。
【０１２８】
次に、追加先の指定処理（図１９）を実行するための実行サブプログラムが起動する（Ｓ２０４）。追加先の指定処理では、使用者によって外部メモリ１８又は内部メモリ４ａに記憶されている複数の画像データ又はＰＤＦファイルの中から新たな画像データを追加すべき画像データ又はＰＤＦファイルが指定される。
【０１２９】
図１９において、まず外部メモリ１８又は内部メモリ４ａに記憶されている複数のＰＤＦファイル又は画像データを特定するための追加先選択画面がＬＣＤ８上に表示される（Ｓ２２１）。ここでは追加先選択画面を図示しないが、図１３のＰＤＦファイル選択画面３４における各項目３５が各種ＰＤＦファイル及び各種画像データに置き換えられただけである。
【０１３０】
次に、特定の画像データ又はＰＤＦファイルが選択されたか否かが、即ち使用者が矢印キー９ｃを入力してカーソルを次の画像データ項目やＰＤＦファイル項目に移動させたか否か、及びテンキー９ａにより該当する画像データ項目又はＰＤＦファイルに対応する番号を入力したか否かが判断される（Ｓ２２２）。使用者が矢印キー９ｃを押下するか又はテンキー９ａを押下して番号のいずれかを入力すれば（Ｓ２２２：Ｙｅｓ）、使用者が確定キー９ｄを押下したか否かが判断される（Ｓ２２３）。使用者が確定キー９ｄを押下していないと判断されれば（Ｓ２２３：Ｎｏ）、Ｓ２２２へと戻る。使用者が確定キー９ｄを押下したと判断されれば（Ｓ２２３：Ｙｅｓ）、新たな画像データの追加先がＰＤＦファイルか否かが判断される（Ｓ２２６）。新たな画像データの追加先がＰＤＦファイルの場合には（Ｓ２２６：Ｙｅｓ）、図１８の実行メインプログラムに戻る。
【０１３１】
新たな画像データの追加先がＰＤＦファイルではない場合には（Ｓ２２６：Ｎｏ）、Ｓ２２３で確定された追加先は何らかの形式の画像データであるということなので、この確定された画像データと同一名称のＰＤＦファイルが外部メモリ１８内又は内部メモリ４ａ内に存在するか否かが判断される（Ｓ２２７）。確定された画像データと同一名称のＰＤＦファイルが外部メモリ１８内又は内部メモリ４ａ内に存在していないと判断されると（Ｓ２２７：Ｎｏ）、確定された画像データのデータ形式がＪＰＥＧ形式か否かが判断される（Ｓ２３３）。使用者が確定した画像データのデータ形式がＪＰＥＧ形式の場合には（Ｓ２３３：Ｙｅｓ）、そのＪＰＥＧ形式の画像データをＰＤＦファイルに変換する（Ｓ２３５）。使用者が確定した画像データのデータ形式がＪＰＥＧ形式ではない場合には（Ｓ２３３：Ｎｏ）、その画像データをＪＰＥＧ形式に変換し（Ｓ２３４）、その後ＰＤＦファイルに変換する（Ｓ２３５）。そして、図１８の実行メインプログラムへと戻る。
【０１３２】
一方、確定された画像データと同一名称のＰＤＦファイルが外部メモリ１８内又は内部メモリ４ａ内に存在していないと判断されると（Ｓ２２７：Ｎｏ）、選択された画像データの名称を自動的に変更し、その変更後の名称が画面に表示される（Ｓ２２８）。例えば、「同一名称のＰＤＦファイルが存在しますので、画像データの名称を変更します。新しい名称はＡＡＡです。この名称でＯＫなら「１」キーを、ＯＫでなければ「２」キーを押下して下さい。」という旨の表示がされる。この名称ＡＡＡは、外部メモリ１８又は内部メモリ４ａに存在していない名称が表示される。そして、使用者は表示された指示にしたがって追加先画像データの名称を変更できる。
【０１３３】
次に、テンキー９ａから「１」キーが使用者により入力されたか否かが判断される（Ｓ２２９）。「１」キーが使用者により入力されれば（Ｓ２２９：Ｙｅｓ）、使用者がＳ２２３で確定した画像データの名称が現在ＬＣＤ８上に表示されている仮の名称ＡＡＡに変更され（Ｓ２３０）、Ｓ２３３に進む。また、「２」キーが使用者により入力されれば（Ｓ２２９：Ｎｏ）、同一名称のＰＤＦファイルに対して新たに作成されるＰＤＦファイルを上書きするか否かが判断される（Ｓ２３１）。例えば、「同一名称のＰＤＦファイルに対して上書きしますか？上書きなら「１」キーを、上書きではなく選択した画像データの名称変更のために新たな名称を入力するなら「２」キーを押下して下さい。」という旨の表示がされる。使用者は表示された指示にしたがって追加先画像データの名称を更に変更するか既存のＰＤＦファイルに対して上書きするかを選択できる。「１」キーが使用者により入力されれば（Ｓ２３１：Ｙｅｓ）、Ｓ２３３に進み、「２」キーが使用者により入力されれば（Ｓ２３１：Ｎｏ）、第３の名称入力処理の実行サブプログラムが起動する（Ｓ２３２）。この第３の名称入力処理（図２１）のための実行サブプログラムは、ユーザにより同一名称のＰＤＦファイルに上書きしないで、新規に異なる名称を入力・設定する場合に起動される。
【０１３４】
図２１においては、まず名称を入力するための入力画面がＬＣＤ８上に表示される（Ｓ２６１）。使用者はキーボード９上のテンキー９ａ等を使用して新たな名称を入力する（Ｓ２６２）。入力された名称はＬＣＤ８上に表示される。そして、使用者により確定キー９ｄが押下されたか否かが判断される（Ｓ２６３）。使用者により確定キー９ｄが押下されなければ（Ｓ２６３：Ｎｏ）、確定キー９ｄが押下されるまで待機する。使用者により確定キー９ｄが押下されれば（Ｓ２６３：Ｙｅｓ）、追加先の画像データの新たな名称が設定され、図１９のＳ２２７へ戻る。
【０１３５】
一方、使用者が矢印キー９ｃの押下もテンキー９ａの押下もしていなければ（Ｓ２２２：Ｎｏ）、使用者がそのまま確定キー９ｄを押下したか否かが判断される（Ｓ２２４）。使用者が確定キー９ｄを押下していないと判断されれば（Ｓ２２４：Ｎｏ）、Ｓ２２２へ戻る。しかし、使用者が確定キー９ｄを押下したと判断されると（Ｓ２２４：Ｙｅｓ）、追加先ＰＤＦファイル又は画像データの無指定に基づく画像データの新規記憶処理（図１４）を実行するための実行サブプログラムが起動される（Ｓ２２５）。即ち、画像データ選択画面においてデフォルトの状態では「新規記憶処理」になっているので、この段階で使用者が確定キー９ｄを押下すれば、使用者は新たな画像データを既存の画像データへの追加ではなく新規に外部メモリ１８又は内部メモリ４ａに記憶したいということである。この新規記憶処理では、外部メモリ１８又は内部メモリ４ａに新たな画像データがそのまま又はＰＤＦファイルに変換されて記憶される。図１４の追加先ＰＤＦファイル又は画像データの無指定に基づく画像データの新規記憶処理は上述したので、ここでは改めて説明しない。そして、この図１４のＳ１４１、即ち図１５の第２の名称入力の処理でＳ１６３が肯定された場合には、図１９のＳ２２６へと進むことになる。また、図１４のＳ１５６、即ち図９の画像データの新規記憶処理が終了したら、図１８に示す第４の実施形態は終了する。
【０１３６】
一方、図１９のＳ２２３で追加先としてＰＤＦファイルが設定された場合や、Ｓ２３５で追加先の画像データがＰＤＦファイルに変換された場合には、Ｎｉｎ１キー９ｇが使用者により押下されたか否かが判断される（Ｓ２０５）。このＳ２０５〜Ｓ２１６までの処理は、第２の実施形態のＳ１１５〜Ｓ１２６や、第３の実施形態のＳ１７５〜Ｓ１８６と同一であるので、詳述しない。
【０１３７】
そして、Ｓ２０４で追加先に指定されたＰＤＦファイル又は追加先に指定されてＰＤＦファイルに変換された画像データの末尾に、Ｓ２１６で作成されたＪＰＥＧ形式の画像データ又はＳ２１２で作成されたＪＰＥＧ形式の画像データが追加されてＰＤＦファイルが更新され、その更新されたＰＤＦファイルが外部メモリ１８又は内部メモリ４ａに記憶されることにより（Ｓ２１７）、この処理は終了する。
【０１３８】
以上の説明からも明らかなように、画像データ処理装置１００は、予め外部メモリに複数の画像データ又はＰＤＦファイルが記憶されている場合において、使用者によって原稿読取部６により読み取り作成される画像データ（新たな画像データ）の追加先が指定される。指定された追加先が画像データである場合は、その画像データはＰＤＦファイルに変換される。そして、追加先として指定されたＰＤＦファイル又は変換されたＰＤＦファイルの末尾に新たな画像データが追加され、記憶される。
【０１３９】
また、追加先が画像データである場合において、その画像データの名称と同一名称のＰＤＦファイルが外部メモリ１８内又は内部メモリ４ａ内に存在する場合に、名称の候補が自動的に使用者に提示される。その際、使用者は、提示された名称にするか、追加先に指定された画像データにより作成されるＰＤＦファイルを同一名称のＰＤＦファイルに対して上書きするか、再度他の新たな名称を入力するか、を選択できる。
【０１４０】
―第５の実施形態―
以下、図２０〜図２１を参照して、本発明に係る画像データ処理装置の第５の実施形態について説明する。図２０は、第５の実施形態の実行メインプログラムを示すフローチャートである。図２１は、上述した通り、第３の名称入力処理の処理過程を示すフローチャートである。
【０１４１】
Ｓ２４１〜Ｓ２４３及びＳ２４５〜Ｓ２５６は、第２の実施形態のＳ１１１〜Ｓ１１３及びＳ１１５〜Ｓ１２６や、第３の実施形態のＳ１７１〜Ｓ１７３及びＳ１７５〜Ｓ１８６、更には第４の実施形態のＳ２０１〜Ｓ２０３及びＳ２０５〜Ｓ２１６と同一である。また、Ｓ２４４は第４の実施形態のＳ２３２（図１９）と同一の処理であり、Ｓ２５９は第１の実施形態のＳ２６（図２）等と同一の処理であるので、第５の実施形態においては、Ｓ２５７とＳ２５８を中心に説明する。
【０１４２】
Ｓ２５５又はＳ２５６が終了すると、Ｓ２４４で設定された名称と同一名称のＰＤＦファイルが外部メモリ１８又は内部メモリ４ａに存在するか否かが判断される（Ｓ２５７）。Ｓ２４４で設定された名称と同一名称のＰＤＦファイルが外部メモリ１８又は内部メモリ４ａに存在すれば（Ｓ２５７：Ｙｅｓ）、そのＰＤＦファイルの末尾にＳ２５６又はＳ２５２で作成されたＪＰＥＧ形式の画像データが追加されてＰＤＦファイルは更新され、更にその更新されたＰＤＦファイルが外部メモリ１８又は内部メモリ４ａに記憶されて（Ｓ２５８）、第５の実施形態の処理は終了する。一方、Ｓ２４４で設定された名称と同一名称のＰＤＦファイルが外部メモリ１８又は内部メモリ４ａに存在しなければ（Ｓ２５７：Ｎｏ）、画像データを新規に記憶処理処理するための実行サブプログラム（図９）が起動する（Ｓ２５９）。この画像データ新規記憶処理は上述したので、ここでは説明しない。Ｓ２５９が終了すると、第５の実施形態の処理は終了する。
【０１４３】
以上の説明からも明らかなように、この画像データ処理装置１００は、原稿が原稿読取部６により読み取られて作成される画像データ（新たな画像データ）の名称が使用者によって入力され、その名称と同一名称のＰＤＦファイルが外部メモリ１８又は内部メモリ４ａに存在する場合は、そのＰＤＦファイルに新たな画像データが追加されて更新され、その更新されたＰＤＦファイルが外部メモリ１８又は内部メモリ４ａに記憶される。
【０１４４】
また、使用者によって入力された新たな画像データの名称と同一名称のＰＤＦファイルが外部メモリ１８又は内部メモリ４ａに存在しない場合は、新たな画像データは使用者により入力された名称で新規に画像データ又はＰＤＦファイルとして外部メモリ１８又は内部メモリ４ａに記憶される。
【０１４５】
―第６の実施形態―
以下、図２２を参照して、本発明に係る画像データ処理装置の第６の実施形態について説明する。図２２は第６の実施形態の実行プログラムを示すフローチャートである。
【０１４６】
Ｓ２７１〜Ｓ２８６の処理は、第５の実施形態のＳ２４１〜Ｓ２５６の処理と同一であるので、第６の実施形態においては、Ｓ２８７〜Ｓ２９２を中心に説明する。
【０１４７】
Ｓ２８５又はＳ２８６が終了すると、Ｓ２７４で設定された名称と同一名称の画像データが外部メモリ１８又は内部メモリ４ａに存在するか否かが判断される（Ｓ２８７）。Ｓ２７４で設定された名称と同一名称の画像データが外部メモリ１８又は内部メモリ４ａに存在すれば（Ｓ２８７：Ｙｅｓ）、その画像データのデータ形式がＪＰＥＧ形式か否かが判断される（Ｓ２８８）。画像データのデータ形式がＪＰＥＧ形式の場合には（Ｓ２８８：Ｙｅｓ）、そのＪＰＥＧ形式の画像データをＰＤＦファイルに変換する（Ｓ２９０）。画像データのデータ形式がＪＰＥＧ形式ではない場合には（Ｓ２８８：Ｎｏ）、その画像データをＪＰＥＧ形式に変換し（Ｓ２８９）、その後ＰＤＦファイルに変換する（Ｓ２９０）。そして、変換されたＰＤＦファイルの末尾に新たな画像データが追加されてＰＤＦファイルは更新され、更に更新されたＰＤＦファイルが外部メモリ１８又は内部メモリ４ａに記憶されて（Ｓ２９１）、この第６の実施形態の処理は終了する。
【０１４８】
一方、Ｓ２７４で設定された名称と同一名称の画像データが外部メモリ１８又は内部メモリ４ａに存在しなければ（Ｓ２８７：Ｎｏ）、画像データを新規に記憶処理処理するための実行サブプログラム（図９）が起動する（Ｓ２５９）。この画像データ新規記憶処理は上述したので、ここでは説明しない。Ｓ２５９が終了すると、第６の実施形態の処理は終了する。
【０１４９】
以上の説明からも明らかなように、この画像データ処理装置１００は、予め外部メモリ１８又は内部メモリ４ａに何らかのデータ形式の画像データが記憶されている場合において、原稿が原稿読取部６により読み取られて作成される画像データ（新たな画像データ）の名称が使用者によって入力され、その名称と同一名称の画像データが外部メモリ１８又は内部メモリ４ａに存在する場合は、その画像データをＪＰＥＧ形式にデータ変換した後ＰＤＦファイルに更に変換し、そのＰＤＦファイルの末尾に新たな画像データが追加され記憶される。
【０１５０】
―第７の実施形態―
以下、図２３〜図２４を参照して、本発明に係る画像データ処理装置の第７の実施形態について説明する。
【０１５１】
図２３と図２４は第７の実施形態の実行メインプログラムを示すフローチャートである。
【０１５２】
Ｓ３０１〜Ｓ３１６の処理は、第５の実施形態のＳ２４１〜Ｓ２５６の処理や第６の実施形態のＳ２７１〜Ｓ２８６の処理と同一であるので、第７の実施形態においては、Ｓ３１７以降を中心に説明する。
【０１５３】
Ｓ３１５又はＳ３１６が終了すると、Ｓ３０４で設定された名称と同一名称のＰＤＦファイル又は画像データが外部メモリ１８又は内部メモリ４ａに存在するか否かが判断される（Ｓ３１７）。Ｓ３０４で設定された名称と同一名称のＰＤＦファイル又は画像データが外部メモリ１８又は内部メモリ４ａに存在すれば（Ｓ３１７：Ｙｅｓ）、同一名称のＰＤＦファイル又は画像データが外部メモリ１８又は内部メモリ４ａに複数存在するか否かが判断される（Ｓ３１９）。同一名称のＰＤＦファイル又は画像データが外部メモリ１８又は内部メモリ４ａに複数存在する場合には（Ｓ３１９：Ｙｅｓ）、同一名称のＰＤＦファイル又は画像データを抽出し、ＬＣＤ８上に表示する。そして、使用者が追加先のＰＤＦファイル又は画像データを上述したような手段で指定して設定し（Ｓ３２１）、Ｓ３２２へ進む。一方、同一名称のＰＤＦファイル又は画像データが外部メモリ１８又は内部メモリ４ａに複数存在しない場合には（Ｓ３１９：Ｎｏ）、Ｓ３２０とＳ３２１をスキップしてＳ３２２へ進む。そして、新たな画像データが追加される先がＰＤＦファイルか否かが判断される（Ｓ３２２）。新たな画像データが追加される先がＰＤＦファイルであれば（Ｓ３２２：Ｙｅｓ）、Ｓ３３２へ進み、新たな画像データが追加される先がＰＤＦファイルでなければ（Ｓ３２２：Ｎｏ）、Ｓ３２３へ進む。しかしながら、Ｓ３２２〜Ｓ３３１は、図１９に示すＳ２２６〜Ｓ２３５と同一なので、ここでは詳述しない。
【０１５４】
そして、新たな画像データが追加される先がＰＤＦファイルである場合（Ｓ３２２：Ｙｅｓ）と、新たな画像データの追加先として設定されたものの画像データであったために変換されたＰＤＦファイル（Ｓ３３１）の末尾に新たな画像データが追加されて更新され、その更新されたＰＤＦファイルが外部メモリ１８又は内部メモリ４ａに記憶されてこの第７の実施形態の処理は終了する。
【０１５５】
一方、Ｓ３０４で設定された名称と同一名称のＰＤＦファイル又は画像データが外部メモリ１８又は内部メモリ４ａに存在しなければ（Ｓ３１７：Ｎｏ）、図９に示す画像データ新規記憶処理が実行され（Ｓ３１８）、その後この第７の実施形態の処理は終了する。
【０１５６】
以上の説明からも明らかなように、第７の実施形態における画像データ処理装置１００は、原稿読取部６により読み取った原稿の記憶処理において、原稿読取部６により読み取られ作成された画像データ（新たな画像データ）の名称が使用者によって入力され、その入力された新たな画像データの名称と同一名称のＰＤＦファイル又は画像データが外部メモリ１８又は内部メモリ４ａに記憶されている場合に、使用者に同一名称のＰＤＦファイル又は画像データが複数存在する旨を報知して追加先を選択させ、その選択された追加先（ＰＤＦファイル又は画像データ）に新たな画像データが追加され記憶される。選択された追加先がＰＤＦファイルであれば、そのＰＤＦファイルの末尾に新たな画像データが追加され記憶される。また、選択された追加先が画像データであれば、その画像データを所定の形式（例えばＪＰＥＧ形式）に変換した後更にＰＤＦファイルに変換し、変換されたＰＤＦファイルの末尾に新たな画像データが追加され記憶される。
【０１５７】
また、ＰＤＦファイルと画像データの両方が存在する場合は、使用者に選択させることが好ましい。また、予め優先順位をつけておいて選択されることが望ましい。その際、使用者が追加先として画像データを指定した場合に、その指定画像データと同一名称のＰＤＦファイルが存在するときは、その指定画像データの名称を変更後、その指定画像データを所定の形式（例えばＪＰＥＧ形式）に変換し、更にＰＤＦファイルに変換後、その変換されたＰＤＦファイルの末尾に新たな画像データが追加され記憶される。
【０１５８】
なお、説明を容易とするために、本実施形態（第１〜第７の実施形態）においては、外部スロットが単数である場合（具体的には、図１に示す第１スロット１１のみ）について説明したが、例えば、図１に示すように、外部スロット１１〜１３が複数設けられている場合、及び／又は外部メモリ１８〜２０が対応する各スロット１１〜１３に複数装着されている場合には、使用者が特定の記憶先（所定の外部スロット及び／又は外部メモリのみ）を選択して設定してもよい。また、デフォルトで予めスロットに装着されている全ての外部メモリに読み取ったデータを記憶させるように設定されていてもよい。また、デフォルトで予め特定のスロットに装着されている外部メモリに読み取ったデータを記憶させるように設定されていてもよい。
【０１５９】
また、図３に示す外部メモリ装着判断処理において、外部メモリ１８が第１スロット１１にたとえ装着されている場合でも、その残量が十分でなかった場合には、内部メモリ４ａを記憶先として仮設定してもよい。この場合にはＬＣＤ８上に外部メモリ１８の交換を促すメッセージが表示されることが望ましい。
【０１６０】
また、上記実施の形態においては、使用者は新たな画像データの追加先として１つの画像データ又は１つのＰＤＦファイルを指定しているが、複数の画像データ又はＰＤＦファイルを選択可能に構成し、選択された画像データ又はＰＤＦファイルすべてに対して新たな画像データを追加するように構成してもよい。
【０１６１】
【発明の効果】
以上に説明したように本発明に係る画像データ処理装置によれば、読み取った原稿に対応する画像データを外部メモリに容易に記憶することができる。また、原稿が複数の場合、所定のフォーマット形式にすることにより、１つのファイルとして画像データを管理できる。また、Ｎｉｎ１形式のファイル形式にすることにより、１頁中に画像データを複数挿入できるので更に画像データの管理が容易になる。
【図面の簡単な説明】
【図１】本発明に係る画像データ処理装置の概略構成を示し、図１（ａ）はブロック図、図１（ｂ）はキーボードの構成を示す図である。
【図２】第１の実施形態の処理過程を示すフローチャートである。
【図３】外部メモリ装着判断処理の処理過程を示すフローチャートである。
【図４】データ形式選択処理の処理過程を示すフローチャートである。
【図５】データ形式を選択するためのデータ形式選択画面である。
【図６】Ｎｉｎ１形式の設定処理の処理過程を示すフローチャートである。
【図７】Ｎｉｎ１の設定画面を示し、（ａ）Ｎｉｎ１指定画面、（ｂ）正数Ｎの入力画面である。
【図８】第１の名称入力処理の処理過程を示すフローチャートである。
【図９】画像データの新規記憶処理の処理過程を示すフローチャートである。
【図１０】外部メモリ挿入処理の処理過程を示すフローチャートである。
【図１１】第２の実施形態の処理過程を示すフローチャートである。
【図１２】ＰＤＦファイルの指定処理の処理過程を示すフローチャートである。
【図１３】ＰＤＦファイルを選択するためのファイル選択画面である。
【図１４】画像データの新規記憶処理の処理過程を示すフローチャートである。
【図１５】第２の名称入力処理の処理過程を示すフローチャートである。
【図１６】第３の実施形態の処理過程を示すフローチャートである。
【図１７】画像データの指定処理の処理過程を示すフローチャートである。
【図１８】第４の実施形態の処理過程を示すフローチャートである。
【図１９】追加先の指定処理の処理過程を示すフローチャートである。
【図２０】第５の実施形態の処理過程を示すフローチャートである。
【図２１】第３の名称入力処理の処理過程を示すフローチャートである。
【図２２】第６の実施形態の処理過程を示すフローチャートである。
【図２３】第７の実施形態の処理過程を示すフローチャートの一部である。
【図２４】第７の実施形態の処理過程を示すフローチャートの一部である。
【符号の説明】
２　ＣＰＵ
３　ＲＯＭ
４　ＲＡＭ
４ａ　内部メモリ
４ｂ　Ｎｉｎ１フラグ記憶領域
５　ＡＳＩＣ
６　原稿読取部
８　ＬＣＤ
９　キーボード
１８、１９、２０　外部メモリ
１００　画像データ処理装置
【図１】
2004048349.tif 000003
【図２】
2004048349.tif 000004
【図３】
2004048349.tif 000005
【図４】
2004048349.tif 000006
【図５】
2004048349.tif 000007
【図６】
2004048349.tif 000008
【図７】
2004048349.tif 000009
【図８】
2004048349.tif 000010
【図９】
2004048349.tif 000011
【図１０】
2004048349.tif 000012
【図１１】
2004048349.tif 000013
【図１２】
2004048349.tif 000014
【図１３】
2004048349.tif 000015
【図１４】
2004048349.tif 000016
【図１５】
2004048349.tif 000017
【図１６】
2004048349.tif 000018
【図１７】
2004048349.tif 000019
【図１８】
2004048349.tif 000020
【図１９】
2004048349.tif 000021
【図２０】
2004048349.tif 000022
【図２１】
2004048349.tif 000023
【図２２】
2004048349.tif 000024
【図２３】
2004048349.tif 000025
【図２４】
2004048349.tif 000026